(57)【要約】無線通信システムにおいて、端末のランダムアクセスを行う方法が提供される。前記方法は、サービングセルの活性ＵＬ（ｕｐｌｉｎｋ）ＢＷＰ（ｂａｎｄｗｉｄｔｈ  ｐａｒｔ）に対して設定されたランダムアクセス機会を識別する段階と、前記サービングセルがＳｐＣｅｌｌ（ｓｐｅｃｉａｌ  ｃｅｌｌ）であり、活性ＤＬ（ｄｏｗｎｌｉｎｋ）ＢＷＰのＩＤ（Ｉｎｄｅｘ）が前記活性ＵＬＢＷＰのＩＤと対応しない場合、前記サービングセルのＢＷＰ設定情報に基づき、前記活性ＤＬＢＷＰは前記活性ＵＬＢＷＰのＩＤに対応するＩＤを持つＤＬＢＷＰにスイッチングする段階と、前記スイッチングされたＤＬＢＷＰでランダムアクセスを実行する段階と、を有する。【選択図】  図１Ｄ
2021519535.tif 000002
【特許請求の範囲】
【請求項１】
無線通信システムにおいて、端末のランダムアクセスを行う方法であって、
サービングセルの活性ＵＬ（ｕｐｌｉｎｋ）ＢＷＰ（ｂａｎｄｗｉｄｔｈ  ｐａｒｔ）に対して設定されたランダムアクセス機会を識別する段階と、
前記サービングセルがＳｐＣｅｌｌ（ｓｐｅｃｉａｌ  ｃｅｌｌ）であり、活性ＤＬ（ｄｏｗｎｌｉｎｋ）ＢＷＰのＩＤ（Ｉｎｄｅｘ）が前記活性ＵＬＢＷＰのＩＤと対応しない場合、前記サービングセルのＢＷＰ設定情報に基づき、前記活性ＤＬＢＷＰは前記活性ＵＬＢＷＰのＩＤに対応するＩＤを持つＤＬＢＷＰにスイッチングする段階と、
前記スイッチングされたＤＬＢＷＰでランダムアクセスを実行する段階と、を有することを特徴とする端末のランダムアクセス方法。
【請求項２】
前記ＢＷＰ設定情報は、活性ＤＬＢＷＰのＩＤ、及び活性ＵＬＢＷＰのＩＤを含むことを特徴とする請求項１に記載の端末のランダムアクセス方法。
【請求項３】
前記サービングセルがセカンダリーセル（ＳＣｅｌｌ）である場合、ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）に基づき、ランダムアクセスを開始する段階をさらに有することを特徴とする請求項１に記載の端末のランダムアクセス方法。
【請求項４】
前記ランダムアクセスは、競争ベース（ｃｏｎｔｅｎｔｉｏｎ−ｂａｓｅｄ）のランダムアクセスを含むことを特徴とする請求項１に記載の端末のランダムアクセス方法。
【請求項５】
無線通信システムにおいて、基地局のランダムアクセスを行う方法であって、
サービングセルの活性ＤＬ（ｄｏｗｎｌｉｎｋ）ＢＷＰ（ｂａｎｄｗｉｄｔｈ  ｐａｒｔ）及び活性ＵＬ（ｕｐｌｉｎｋ）ＢＷＰに関するＢＷＰ設定情報を含む無線資源制御（ＲＲＣ）メッセージを送信する段階と、
前記ＢＷＰ設定情報に基づき、ランダムアクセスを実行する段階と、を有し、
前記サービングセルがＳｐＣｅｌｌ（ｓｐｅｃｉａｌ  ｃｅｌｌ）であり、活性ＤＬＢＷＰのＩＤ（Ｉｎｄｅｘ）が活性ＵＬＢＷＰのＩＤと対応しない場合、前記活性ＤＬＢＷＰは前記活性ＵＬＢＷＰのＩＤに対応するＩＤを持つＤＬＢＷＰにスイッチングされることを特徴とする基地局のランダムアクセス方法。
【請求項６】
前記ＢＷＰ設定情報は、活性ＤＬＢＷＰのＩＤ、及び活性ＵＬＢＷＰのＩＤを含むことを特徴とする請求項５に記載の基地局のランダムアクセス方法。
【請求項７】
ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）を送信する段階をさらに有し、
前記サービングセルがセカンダリーセル（ＳＣｅｌｌ）である場合、前記ＰＤＣＣＨ（ｐｈｙｓｉｃａｌ  ｄｏｗｎｌｉｎｋ  ｃｏｎｔｒｏｌ  ｃｈａｎｎｅｌ）に基づき、ランダムアクセスが開始されることを特徴とする請求項５に記載の基地局のランダムアクセス方法。
【請求項８】
無線通信システムにおいて、ランダムアクセスを行う端末であって、
トランシーバと、
サービングセルの活性ＵＬ（ｕｐｌｉｎｋ）ＢＷＰ（ｂａｎｄｗｉｄｔｈ  ｐａｒｔ）に対して設定されたランダムアクセス機会を識別し、前記サービングセルがＳｐＣｅｌｌ（ｓｐｅｃｉａｌ  ｃｅｌｌ）であり、活性ＤＬ（ｄｏｗｎｌｉｎｋ）ＢＷＰのＩＤ（Ｉｎｄｅｘ）が前記活性ＵＬＢＷＰのＩＤと対応しない場合、前記サービングセルのＢＷＰ設定情報に基づき、前記活性ＤＬＢＷＰを前記活性ＵＬＢＷＰのＩＤに対応するＩＤを持つＤＬＢＷＰにスイッチングし、前記スイッチングされたＤＬＢＷＰにおいて、ランダムアクセスを実行ように構成される前記トランシーバと接続された少なくとも１つのプロセッサと、を有することを特徴とする端末。
【請求項９】
前記ＢＷＰ設定情報は、活性ＤＬＢＷＰのＩＤ、及び活性ＵＬＢＷＰのＩＤを含むことを特徴とする請求項８に記載の端末。
【請求項１０】
前記サービングセルがセカンダリーセル（ＳＣｅｌｌ）である場合、前記少なくとも１つのプロセッサは、ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）に基づき、ランダムアクセスを開始することを特徴とする請求項８に記載の端末。
【請求項１１】
前記ランダムアクセスは、競争ベースのランダムアクセスを含むことを特徴とする請求項８に記載の端末。
【請求項１２】
無線通信システムにおいて、ランダムアクセスを行う基地局であって、
トランシーバと、
サービングセルの活性ＤＬ（ｄｏｗｎｌｉｎｋ）ＢＷＰ（ｂａｎｄｗｉｄｔｈ  ｐａｒｔ）及び活性ＵＬ（ｕｐｌｉｎｋ）ＢＷＰに関するＢＷＰ設定情報を含む無線資源制御（ＲＲＣ）メッセージを送信し、前記ＢＷＰ設定情報に基づき、ランダムアクセスを実行するように設定された、前記トランシーバと接続された少なくとも１つのプロセッサと、を有し、
前記サービングセルがＳｐＣｅｌｌ（ｓｐｅｃｉａｌ  ｃｅｌｌ）であり、活性ＤＬＢＷＰのＩＤ（Ｉｎｄｅｘ）が活性ＵＬＢＷＰのＩＤと対応しない場合、前記活性ＤＬＢＷＰは前記活性ＵＬＢＷＰのＩＤに対応するＩＤを持つＤＬＢＷＰにスイッチングされることを特徴とする基地局。
【請求項１３】
前記ＢＷＰ設定情報は、活性ＤＬＢＷＰのＩＤ、及び活性ＵＬＢＷＰのＩＤを含むことを特徴とする請求項１２に記載の基地局。
【請求項１４】
前記少なくとも１つのプロセッサは、ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）を送信し、前記サービングセルがセカンダリーセル（ＳＣｅｌｌ）である場合、前記ＰＤＣＣＨに基づき、ランダムアクセスが開始されることを特徴とする請求項１２に記載の基地局。
【請求項１５】
請求項１に記載の端末のランダムアクセス方法を実行するためのプログラムが記録されたことを特徴とするコンピュータ読み取り可能記録媒体。
【発明の詳細な説明】
【技術分野】
【０００１】
本発明は、無線通信システムに関し、特に、無線通信システムにおいてランダムアクセスを行う方法に関する。
【背景技術】
【０００２】
４Ｇ通信システム商用化後、増加傾向にある無線データトラフィック需要を満足させるために、改善された５Ｇ通信システム又はｐｒｅ−５Ｇ通信システムを開発するための努力がなされている。
そのような理由により、５Ｇ通信システム又はｐｒｅ−５Ｇ通信システムは、４Ｇネットワーク後（ｂｅｙｏｎｄ  ４Ｇ  ｎｅｔｗｏｒｋ）通信システム、ＬＴＥシステム後（ｐｏｓｔ  ＬＴＥ）システム、又は次世代移動通信システムと呼ばれている。
【０００３】
高いデータ伝送率を達成するために、５Ｇ通信システムは、超高周波（ｍｍＷａｖｅ）帯域（例えば、６０ギガ（６０ＧＨｚ）帯域）における具現が考慮されている。
超高周波帯域での電波経路損失緩和及び電波伝達距離を増大させるために、５Ｇ通信システムにおいては、ビームフォーミング（ｂｅａｍ  ｆｏｒｍｉｎｇ）、巨大配列多重入出力（ｍａｓｓｉｖｅ  ＭＩＭＯ）、全次元多重入出力（ｆｕｌｌ  ｄｉｍｅｎｓｉｏｎａｌ  ＭＩＭＯ：ＦＤ−ＭＩＭＯ）、アレイアンテナ（ａｒｒａｙ  ａｎｔｅｎｎａ）、アナログビーム形成（ａｎａｌｏｇ  ｂｅａｍ−ｆｏｒｍｉｎｇ）及び大規模アンテナ（ｌａｒｇｅ  ｓｃａｌｅ  ａｎｔｅｎｎａ）の技術が論議されている。
また、システムのネットワーク改善のために、５Ｇ通信システムにおいては、進化した小型セル、改善された小型セル（ａｄｖａｎｃｅｄ  ｓｍａｌｌ  ｃｅｌｌ）、クラウド無線アクセスネットワーク（ｃｌｏｕｄ  ＲＡＮ）、超高密度ネットワーク（ｕｌｔｒａ−ｄｅｎｓｅ  ｎｅｔｗｏｒｋ）、機器間通信（ｄｅｖｉｃｅ−ｔｏ−ｄｅｖｉｃｅ  ｃｏｍｍｕｎｉｃａｔｉｏｎ：Ｄ２Ｄ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）及び受信干渉除去（ｉｎｔｅｒｆｅｒｅｎｃｅ  ｃａｎｃｅｌｌａｔｉｏｎ）のような技術開発がなされている。
【０００４】
それら以外にも、５Ｇシステムにおいては、進歩したコーディング変調（ａｄｖａｎｃｅｄ  ｃｏｄｉｎｇ  ｍｏｄｕｌａｔｉｏｎ：ＡＣＭ）方式であるＦＱＡＭ（ｈｙｂｒｉｄ  ＦＳＫ（ｆｒｅｑｕｅｎｃｙ  ｓｈｉｆｔ  ｋｅｙｉｎｇ）ａｎｄ  ＱＡＭ（ｑｕａｄｒａｔｕｒｅ  ａｍｐｌｉｔｕｄｅ  ｍｏｄｕｌａｔｉｏｎ））及びＳＷＳＣ（ｓｌｉｄｉｎｇ  ｗｉｎｄｏｗ  ｓｕｐｅｒｐｏｓｉｔｉｏｎ  ｃｏｄｉｎｇ）、並びに進歩した接続技術であるＦＢＭＣ（ｆｉｌｔｅｒ  ｂａｎｋ  ｍｕｌｔｉ−ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）及びＳＣＭＡ（ｓｐａｒｓｅ  ｃｏｄｅ  ｍｕｌｔｉｐｌｅ  ａｃｃｅｓｓ）などが開発されている。
【０００５】
一方、インターネットは、人間が情報を生成して消費する人間中心の接続ネットワークにおいて、事物のような分散された構成要素間において、情報を取り交わして処理する事物インターネット（ｉｎｔｅｒｎｅｔ  ｏｆ  ｔｈｉｎｇｓ：ＩｏＴ）ネットワークに進化している。
クラウドサーバなどとの接続を介したビックデータ処理技術などがＩｏＴ技術に接続されたＩｏＥ（ｉｎｔｅｒｎｅｔ  ｏｆ  ｅｖｅｒｙｔｈｉｎｇ）技術も始まっている。
ＩｏＴを具現するために、センシング技術、有無線通信及びネットワークのインフラ、サービスインターフェース技術、並びにセキュリティー技術のような技術要素が要求され、近年では、事物間の接続のためのセンサネットワーク（ｓｅｎｓｏｒ  ｎｅｔｗｏｒｋ）、事物通信（ｍａｃｈｉｎｅ  ｔｏ  ｍａｃｈｉｎｅ：Ｍ２Ｍ）、ＭＴＣ（ｍａｃｈｉｎｅ  ｔｙｐｅ  ｃｏｍｍｕｎｉｃａｔｉｏｎ）のような技術が研究されている。
【０００６】
ＩｏＴ環境においては、接続された事物で生成されたデータを収集して分析し、人間生活に新たな価値を創出する知能型ＩＴ（ｉｎｔｅｒｎｅｔ  ｔｅｃｈｎｏｌｏｇｙ）サービスが提供されうる。
ＩｏＴは、既存のＩＴ（Ｉｎｆｏｒｍａｔｉｏｎ  ｔｅｃｈｎｏｌｏｇｙ）技術と、多様な産業との融合及び複合を介し、スマートホーム、スマートビルディング、スマートシティ、スマートカー、又はコネックティドカー、スマートグリッド、ヘルスケア、スマート家電、先端医療サービスのような分野にも応用される。
【０００７】
そのために、５Ｇ通信システムをＩｏＴネットワークに適用させるための多様な試みがなされている。
例えば、センサネットワーク、事物通信（Ｍ２Ｍ）、ＭＴＣのような技術が、ビームフォーミング、ＭＩＭＯ、及びアレイアンテナなどを含む５Ｇ通信技術技法によって具現されている。
前述のビックデータ処理技術として、クラウド無線アクセスネットワーク（ｃｌｏｕｄ  ＲＡＮ）が適用されることも、５Ｇ技術とＩｏＴ技術との融合一例と言えるであろう。
前述ように、無線通信システムの発展により、多様なサービスを提供することができるようになることにより、そのようなサービスを円滑に提供するための方案が要求されている。
無線通信システムの発達によって多様なサービスが提供されているので、そのようなサービスを円滑に提供することができる方法が必要である。
前述の内容は、背景情報として提供されるのみ、本開示の内容理解に一助となるであろう。
本開示と関連して述べられた内容が先行技術として適用されうるか否かということに関する決定は、なされておらず、その主張も、提起されていない。
【発明の概要】
【発明が解決しようとする課題】
【０００８】
そこで、本発明は上記従来の無線通信システムにおける問題点に鑑みてなされたものであって、本発明の目的は、少なくとも前述の問題点及び／又は短所を解決し、多様なサービスを円滑に提供することができるように、帯域幅の一部を使用する周波数併合技法を使用する場合、無線通信システムにおいて、プライマリーセル（ｐｒｉｍａｒｙ  ｃｅｌｌ：ＰＣｅｌｌ）又はセカンダリーセル（ｓｅｃｏｎｄａｒｙ  ｃｅｌｌ：ＳＣｅｌｌ）においてランダムアクセスを実行する方法及びその装置を提供することにある。
【課題を解決するための手段】
【０００９】
本発明の一態様によれば、無線通信システムにおいて、端末のランダムアクセスを行う方法であって、サービングセルの活性ＵＬ（ｕｐｌｉｎｋ）ＢＷＰ（ｂａｎｄｗｉｄｔｈ  ｐａｒｔ）に対して設定されたランダムアクセス機会を識別する段階と、前記サービングセルがＳｐＣｅｌｌ（ｓｐｅｃｉａｌ  ｃｅｌｌ）であり、活性ＤＬ（ｄｏｗｎｌｉｎｋ）ＢＷＰのＩＤ（Ｉｎｄｅｘ）が前記活性ＵＬＢＷＰのＩＤと対応しない場合、前記サービングセルのＢＷＰ設定情報に基づき、前記活性ＤＬＢＷＰは前記活性ＵＬＢＷＰのＩＤに対応するＩＤを持つＤＬＢＷＰにスイッチングする段階と、前記スイッチングされたＤＬＢＷＰでランダムアクセスを実行する段階と、を有することを特徴とする。
【００１０】
前記ＢＷＰ設定情報は、活性ＤＬＢＷＰのＩＤ、及び活性ＵＬＢＷＰのＩＤを含むことが好ましい。
前記サービングセルがセカンダリーセル（ＳＣｅｌｌ）である場合、ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）に基づき、ランダムアクセスを開始する段階をさらに有することが好ましい。
前記ランダムアクセスは、競争ベース（ｃｏｎｔｅｎｔｉｏｎ−ｂａｓｅｄ）のランダムアクセスを含むことが好ましい。
【００１１】
本発明の一態様によれば、無線通信システムにおいて、基地局のランダムアクセスを行う方法であって、サービングセルの活性ＤＬ（ｄｏｗｎｌｉｎｋ）ＢＷＰ（ｂａｎｄｗｉｄｔｈ  ｐａｒｔ）及び活性ＵＬ（ｕｐｌｉｎｋ）ＢＷＰに関するＢＷＰ設定情報を含む無線資源制御（ＲＲＣ）メッセージを送信する段階と、前記ＢＷＰ設定情報に基づき、ランダムアクセスを実行する段階と、を有し、前記サービングセルがＳｐＣｅｌｌ（ｓｐｅｃｉａｌ  ｃｅｌｌ）であり、活性ＤＬＢＷＰのＩＤ（Ｉｎｄｅｘ）が活性ＵＬＢＷＰのＩＤと対応しない場合、前記活性ＤＬＢＷＰは前記活性ＵＬＢＷＰのＩＤに対応するＩＤを持つＤＬＢＷＰにスイッチングされることを特徴とする。
【００１２】
前記ＢＷＰ設定情報は、活性ＤＬＢＷＰのＩＤ、及び活性ＵＬＢＷＰのＩＤを含むことが好ましい。
ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）を送信する段階をさらに有し、前記サービングセルがセカンダリーセル（ＳＣｅｌｌ）である場合、前記ＰＤＣＣＨ（ｐｈｙｓｉｃａｌ  ｄｏｗｎｌｉｎｋ  ｃｏｎｔｒｏｌ  ｃｈａｎｎｅｌ）に基づき、ランダムアクセスが開始されることが好ましい。
【００１３】
本発明の一態様によれば、無線通信システムにおいて、ランダムアクセスを行う端末であって、トランシーバと、サービングセルの活性ＵＬ（ｕｐｌｉｎｋ）ＢＷＰ（ｂａｎｄｗｉｄｔｈ  ｐａｒｔ）に対して設定されたランダムアクセス機会を識別し、前記サービングセルがＳｐＣｅｌｌ（ｓｐｅｃｉａｌ  ｃｅｌｌ）であり、活性ＤＬ（ｄｏｗｎｌｉｎｋ）ＢＷＰのＩＤ（Ｉｎｄｅｘ）が前記活性ＵＬＢＷＰのＩＤと対応しない場合、前記サービングセルのＢＷＰ設定情報に基づき、前記活性ＤＬＢＷＰを前記活性ＵＬＢＷＰのＩＤに対応するＩＤを持つＤＬＢＷＰにスイッチングし、前記スイッチングされたＤＬＢＷＰにおいて、ランダムアクセスを実行ように構成される前記トランシーバと接続された少なくとも１つのプロセッサと、を有することを特徴とする。
【００１４】
前記ＢＷＰ設定情報は、活性ＤＬＢＷＰのＩＤ、及び活性ＵＬＢＷＰのＩＤを含むことが好ましい。
前記サービングセルがセカンダリーセル（ＳＣｅｌｌ）である場合、前記少なくとも１つのプロセッサは、ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）に基づき、ランダムアクセスを開始することが好ましい。
前記ランダムアクセスは、競争ベースのランダムアクセスを含むことが好ましい。
【００１５】
本発明の一態様によれば、無線通信システムにおいて、ランダムアクセスを行う基地局であって、トランシーバと、サービングセルの活性ＤＬ（ｄｏｗｎｌｉｎｋ）ＢＷＰ（ｂａｎｄｗｉｄｔｈ  ｐａｒｔ）及び活性ＵＬ（ｕｐｌｉｎｋ）ＢＷＰに関するＢＷＰ設定情報を含む無線資源制御（ＲＲＣ）メッセージを送信し、前記ＢＷＰ設定情報に基づき、ランダムアクセスを実行するように設定された、前記トランシーバと接続された少なくとも１つのプロセッサと、を有し、前記サービングセルがＳｐＣｅｌｌ（ｓｐｅｃｉａｌ  ｃｅｌｌ）であり、活性ＤＬＢＷＰのＩＤ（Ｉｎｄｅｘ）が活性ＵＬＢＷＰのＩＤと対応しない場合、前記活性ＤＬＢＷＰは前記活性ＵＬＢＷＰのＩＤに対応するＩＤを持つＤＬＢＷＰにスイッチングされることを特徴とする。
【００１６】
前記ＢＷＰ設定情報は、活性ＤＬＢＷＰのＩＤ、及び活性ＵＬＢＷＰのＩＤを含むことが好ましい。
前記少なくとも１つのプロセッサは、ランダムアクセスプリアンブルインデックスを有するＰＤＣＣＨ（ｐｈｙｓｉｃａｌ  ｄｏｗｎｌｉｎｋ  ｃｏｎｔｒｏｌ  ｃｈａｎｎｅｌ）を送信し、前記サービングセルがセカンダリーセル（ＳＣｅｌｌ）である場合、前記ＰＤＣＣＨに基づき、ランダムアクセスが開始されることが好ましい。
【００１７】
本発明は、前記端末のランダムアクセス方法を実行するためのプログラムが記録されたコンピュータ読み取り可能記録媒体を提供する。
【００１８】
本発明の他の実施形態は、行われるランダムアクセスの類型により、ランダムアクセス成功方法を差別化して適用する方法を提供するものである。
追加される側面は、以下の説明部分において説明され、説明部分から明白であり、開示された実施形態の実行によっても学習される。
【発明の効果】
【００１９】
本発明に係る無線通信システムにおいてランダムアクセスを実行する方法及びその装置によれば、帯域幅の一部を使用する周波数併合技法を使用するとき、ＰＣｅｌｌ（ｐｒｉｍａｒｙ  ｃｅｌｌ）又はＳＣｅｌｌ  （ｓｅｃｏｎｄａｒｙ  ｃｅｌｌ）において、ランダムアクセスを行う方法が提供される。
また、行われるランダムアクセスの種類により、ランダムアクセス成功方法を差別化して適用させる方法が提供される。
【図面の簡単な説明】
【００２０】
【図１Ａ】本発明の一実施形態によるＬＴＥシステムの構造を説明のための図である。
【図１Ｂ】本発明の一実施形態によるＬＴＥシステム及びＮＲシステムにおける無線プロトコル構造を説明のための図である。
【図１Ｃ】本発明の一実施形態による搬送波集積技術について説明するための図である。
【図１Ｄ】本発明の一実施形態による端末が、基地局において、競争ベースのランダムアクセスを実行する手続きについて説明するための図である。
【図１Ｅ】本発明の一実施形態による端末が、基地局において、非競争ベースのランダムアクセスを実行する手続きについて説明するための図である。
【図１ＦＡ】本発明の一実施形態による無線通信システムにおいて、部分的な周波数帯域を適用するシナリオについて説明するための図である。
【図１ＦＢ】本発明の一実施形態による無線通信システムにおいて、部分的な周波数帯域を適用するシナリオについて説明するための図である。
【図１ＦＣ】本発明の一実施形態による無線通信システムにおいて、部分的な周波数帯域を適用するシナリオについて説明するための図である。
【図１Ｇ】本発明の一実施形態による端末の動作について説明するためのフローチャートである。
【図２Ａ】本発明の一実施形態による端末が基地局に実行する競争ベース及び非競争ベースのランダムアクセス手続きについて説明するための図である。
【図２Ｂ】本発明の第１実施形態による端末の動作について説明するためのフローチャートである。
【図２Ｃ】本発明の第２実施形態による端末の動作について説明するためのフローチャートである。
【図２Ｄ】本発明の一実施形態による端末の概略構成を示すブロック図である。
【発明を実施するための形態】
【００２１】
本発明の他の側面、利点、及び際立った特徴は、添付図面と共に、本発明の多様な実施例を開示する以下の詳細な説明から、当業者に明らかになるであろう。
添付図面と共に提供される以下の説明は、特許請求の範囲、及び均等物によって定義される本発明の多様な実施形態の包括的な理解の一助とするために提供する。
理解の一助とするために、多様な特定細部事項が含まれているが、それは、ただ例示的なものであると見なされなければならない。
従って、当業者であるならば、本明細書に説明されている多様な実施形態の多様な変更及び修正が、本発明の範囲及び思想を外れずになされるということを認識するであろう。
また、周知の機能及び構成についての説明は、明確さと簡潔さとのためにも省略され得る。
以下の説明及び特許請求の範囲で使用される用語及び単語は、書誌的意味に制限されるものではなく、ただ本発明の内容が、明確であって一貫されたものであるように理解されるべく使用する。
従って、本発明の多様な実施形態に関連する以下の説明は、添付されている特許請求の範囲、及びその均等物によって定義される本発明を制限する目的ではなく、ただ例示目的に提供されるということは、当業者に明白である。
【００２２】
単数形態である「ａ」、「ａｎ」及び「ｔｈｅ」は、文脈上明白に異なって指示しない限り、複数の指示対象を含むものであると理解されなければならない。
従って、例えば、「構成要素表面」に係わる言及は、１以上のそのような表面に関する言及を含む。
以下の説明で使用される接続ノード（ｎｏｄｅ）を識別するための用語、ネットワークエンティティ（ｎｅｔｗｏｒｋ  ｅｎｔｉｔｙ）を指す用語、メッセージを指す用語、ネットワークエンティティ間のインターフェースを指す用語、多様な識別情報を指す用語などは、説明の便宜のために例示したものである。
従って、開示した実施形態は、後述される用語に限定されるものではなく、同等な技術的意味を有する対象を指す他の用語が使用されてもよい。
【００２３】
以下、説明の便宜のために、開示した実施形態は、現在存在する通信標準において、３ＧＰＰ（ｔｈｅ  ３ｒｄ  ｇｅｎｅｒａｔｉｏｎ  ｐａｒｔｎｅｒｓｈｉｐ  ｐｒｏｊｅｃｔ）団体で定義する最も最新の標準であるＬＴＥ（ｌｏｎｇ  ｔｅｒｍ  ｅｖｏｌｕｔｉｏｎ）規格及びＮＲ（ｎｅｗ  ｒａｄｉｏ）規格で定義している用語及び名称を使用する。
しかし、開示した実施形態は、前記用語及び前記名称によって限定されるものではなく、他の規格によるシステムにも同一にも適用される。
特に、開示した実施形態は、３ＧＰＰＮＲ（５世代移動通信標準）にも適用される。
本発明全体を通じて、「ａ、ｂ又はｃの少なくとも１つ」という表現は、ａのみ、ｂのみ、ｃのみ、ａ及びｂの双方、ａ及びｃの双方、ｂ及びｃの双方、ａ、ｂ及びｃのいずれも、あるいはその変形を指す。
【００２４】
図１Ａは、本発明の一実施形態によるＬＴＥシステムの構造を説明のための図である。  ＮＲシステムも、大同小異な構造を有する。
図１Ａを参考すると、無線通信システムは、いくつかの基地局（１ａ−０５、１ａ−１０、１ａ−１５、１ａ−２０）、ＭＭＥ（Ｍｏｂｉｌｉｔｙ  ｍａｎａｇｅｍｅｎｔ  ｅｎｔｉｔｙ）（１ａ−２５）及びＳ−ＧＷ（ｓｅｒｖｉｎｇ−ｇａｔｅｗａｙ）（１ａ−３０）によって構成される。
【００２５】
ユーザ端末又は端末（ｕｓｅｒ  ｅｑｕｉｐｍｅｎｔ：ＵＥ）（１ａ−３５）は、基地局（１ａ−０５、１ａ−１０、１ａ−１５、１ａ−２０）及びＳ−ＧＷ（１ａ−３０）を介し、外部ネットワークに接続する。
基地局（１ａ−０５、１ａ−１０、１ａ−１５、１ａ−２０）は、セルラネットワークの接続ノードであり、ネットワークに接続する端末に無線接続を提供する。
すなわち、基地局（１ａ−０５、１ａ−１０、１ａ−１５、１ａ−２０）は、ユーザにトラフィックをサービスするために、端末のバッファ状態、可用伝送電力状態、チャネル状態のような状態情報を取り合わせてスケジューリングを行い、端末とコアネットワーク（ｃｏｒｅ  ｎｅｔｗｏｒｋ：ＣＮ）との接続を支援する。
【００２６】
ＭＭＥ（１ａ−２５）は、端末に対する移動性管理機能はもとより、各種制御機能を担当する装置であり、多数の基地局と接続され、Ｓ−ＧＷ（１ａ−３０）は、データベアラ（ｂｅａｒｅｒ）を提供する装置である。
また、ＭＭＥ（１ａ−２５）及びＳ−ＧＷ（１ａ−３０）は、ネットワークに接続する端末に対する認証（ａｕｔｈｅｎｔｉｃａｔｉｏｎ）、ベアラ管理などを行うこともでき、基地局（ｅＮＢ／ｇＮＢ）（１ａ−０５、１ａ−１０、１ａ−１５、１ａ−２０）から到着したパケット、又は基地局（１ａ−０５、１ａ−１０、１ａ−１５、１ａ−２０）に伝達されるパケットを処理する。
【００２７】
図１Ｂは、本発明の一実施形態によるＬＴＥシステム及びＮＲシステムにおける無線プロトコル構造を説明のための図である。
図１Ｂを参照すると、ＬＴＥシステムの無線プロトコルは、端末と基地局（ｅＮＢ／ｇＮＢ）とにおいて、それぞれＰＤＣＰ（ｐａｃｋｅｔ  ｄａｔａ  ｃｏｎｖｅｒｇｅｎｃｅ  ｐｒｏｔｏｃｏｌ）（１ｂ−０５、１ｂ−４０）、ＲＬＣ（ｒａｄｉｏ  ｌｉｎｋ  ｃｏｎｔｒｏｌ）（１ｂ−１０、１ｂ−３５）、ＭＡＣ（ｍｅｄｉｕｍ  ａｃｃｅｓｓ  ｃｏｎｔｒｏｌ）（１ｂ−１５、１ｂ−３０）及び物理階層（１ｂ−２０、１ｂ−２５）によって構成される。
【００２８】
ＰＤＣＰ（１ｂ−０５、１ｂ−４０）は、ＩＰヘッダ圧縮／復元などの動作を担当し、無線リンク制御（ｒａｄｉｏ  ｌｉｎｋ  ｃｏｎｔｒｏｌ：ＲＬＣ）（１ｂ−１０、１ｂ−３５）は、ＰＤＣＰＰＤＵ（ｐａｃｋｅｔ  ｄａｔａ  ｕｎｉｔ）を適切な大きさに再構成する。
ＭＡＣ（１ｂ−１５、１ｂ−３０）は、一端末に構成されたさまざまなＲＬＣ階層装置と接続され、ＲＬＣＰＤＵをＭＡＣＰＤＵに多重化し、ＭＡＣＰＤＵからＲＬＣＰＤＵを逆多重化する動作を実行する。
物理階層（１ｂ−２０、１ｂ−２５）は、上位階層データをチャネルコーディングして変調し、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルに作って無線チャネルで伝送するか、あるいは無線チャネルを介して受信したＯＦＤＭシンボルを復調してチャネルデコーディングし、上位階層に伝達する動作を実行する。
【００２９】
また、物理階層においても、さらなるエラー訂正のために、ＨＡＲＱ（ｈｙｂｒｉｄ  ａｕｔｏｍａｔｉｃ  ｒｅｐｅａｔ  ｒｅｑｕｅｓｔ）を使用しており、受信端においては、送信端から伝送されたパケットの受信の可否を１ビットで伝送する。
それをＨＡＲＱＡＣＫ（ａｃｋｎｏｗｌｅｄｇｅｍｅｎｔ）／ＮＡＣＫ（ｎｅｇａｔｉｖｅ  ａｃｋｎｏｗｌｅｄｇｅｍｅｎｔ）情報と言う。
アップリンクデータ伝送に関連するダウンリンクＨＡＲＱＡＣＫ／ＮＡＣＫ情報は、ＬＴＥの場合、ＰＨＩＣＨ（Ｐｈｙｓｉｃａｌ  ＨＡＲＱ  Ｉｎｄｉｃａｔｏｒ  ｃｈａｎｎｅｌ）物理チャネルを介して伝送され、ＮＲの場合、下向きリンク／上向きリンク資源割り当てなどが伝送されるチャネルであるＰＤＣＣＨ（ｐｈｙｓｉｃａｌ  ｄｅｄｉｃａｔｅｄ  ｃｏｎｔｒｏｌ  ｃｈａｎｎｅｌ）から、当該端末のスケジューリング情報を介し、再伝送が必要であるか、あるいは、あらたな伝送を行うか否かということを判断する。
【００３０】
それは、ＮＲにおいては、非同期ＨＡＲＱを適用するからである。
ダウンリンクデータ伝送に関連するアップリンクＨＡＲＱＡＣＫ／ＮＡＣＫ情報は、ＰＵＣＣＨ（ｐｈｙｓｉｃａｌ  ｕｐｌｉｎｋ  ｃｏｎｔｒｏｌ  ｃｈａｎｎｅｌ）やＰＵＳＣＨ（ｐｈｙｓｉｃａｌ  ｕｐｌｉｎｋ  ｓｈａｒｅｄ  ｃｈａｎｎｅｌ）物理チャネルを介しても伝送される。
ＰＵＣＣＨは、一般的に、後述するＰＣｅｌｌの上向きリンクで伝送されるが、端末によって支援される場合、後述する上向きリンクのＳＣｅｌｌで伝送される場合があり、それをＰＵＣＣＨＳＣｅｌｌと称する。
図に示していないが、端末と基地局とのＰＤＣＰ階層の上位には、それぞれＲＲＣ（ｒａｄｉｏ  ｒｅｓｏｕｒｃｅ  ｃｏｎｔｒｏｌ）階層が存在し、ＲＲＣ階層を介し、無線資源制御のための接続メッセージ、測定関連設定制御メッセージを取り交わすことができる。
【００３１】
一方、物理（ＰＨＹ）階層は、１又は複数個の周波数／搬送波からなり、複数個の周波数を同時に設定して使用する技術を、搬送波集積（ｃａｒｒｉｅｒ  ａｇｇｒｅｇａｔｉｏｎ：ＣＡ）技術という。
ＣＡ技術は、端末（ＵＥ）と基地局（ＵＴＲＡＮ  ＮｏｄｅＢ：ｅＮＢＥ）との通信のために、１つの搬送波だけ使用したところから、主搬送波と、１又は複数個の副次搬送波とを追加して使用することにより、伝送量を、副次搬送波の数ほど画期的に増やすことができる。
なお、ＬＴＥにおいては、主搬送波を使用する基地局内のセルを主セル又はＰＣｅｌｌ（ｐｒｉｍａｒｙ  ｃｅｌｌ）と言い、副反送波を使用する基地局内のセルを、副セル又はＳＣｅｌｌ（ｓｅｃｏｎｄａｒｙ  ｃｅｌｌ）と称する。
【００３２】
図１Ｃは、本発明の一実施形態による搬送波集積技術について説明するための図である。
図１Ｃを参照すると、１つの基地局においては、一般的に、さまざまな周波数帯域にわたり、多重キャリアが送出されて受信されうる。
例えば、基地局（１ｃ−０５）から、中心周波数がｆ１であるキャリア（１ｃ−１５）と、中心周波数がｆ３（１ｃ−１０）であるキャリアとが送出されるとき、従来では、１つの端末が２つのキャリアの内の１つのキャリアを利用してデータを送受信することができた。
【００３３】
しかし、キャリア集積能を有している端末は、同時にいくつかのキャリアからデータを送受信することができる。
基地局（１ｃ−０５）は、キャリア集積能を有している端末（１ｃ−３０）については、状況により、さらに多くのキャリアを割り当てることにより、端末（１ｃ−３０）の伝送速度を高めることができる。
伝統的な意味として、１つの基地局から送出されて受信される１つの順方向キャリアと、１つの逆方向キャリアとが１つのセルを構成するとするとき、キャリア集積とは、端末が同時にいくつかのセルを介し、データを送受信することとも理解される。
それを介して、最大伝送速度は、集積されるキャリアの数に比例して増大する。
【００３４】
以下、開示する実施形態の説明において、端末が任意の順方向キャリアを介してデータを受信するか、あるいは任意の逆方向キャリアを介してデータを伝送するということは、キャリアを特徴づける中心周波数と周波数帯域とに対応するセルで提供する制御チャネルとデータチャネルとを利用し、データを送受信するということと同一の意味を有する。
また、以下で開示する実施形態は、説明の便宜のために、ＬＴＥシステムを仮定して説明するものであるが、開示した実施形態は、キャリア集積を支援する各種無線通信システムにも適用される。
【００３５】
図１Ｄは、本発明の一実施形態による端末が、基地局において、競争ベースのランダムアクセスを実行する手続きについて説明するための図である。
競争ベース（ｃｏｎｔｅｎｔｉｏｎ−ｂａｓｅｄ）のランダムアクセスは、初期接続、再接続、ハンドオーバー、それ以外にランダムアクセスが必要な多様な場合にも行われる。
図１Ｄを参照すると、段階（１ｄ−１１）において、端末（１ｄ−０１）は、基地局（１ｄ−０３）への接続のために、ランダムアクセスプリアンブルを、ランダムアクセスのための物理チャネルを介して伝送する。
【００３６】
ここで、ランダムアクセスのための物理チャネルを、ＰＲＡＣＨ（ｐｈｙｓｉｃａｌ  ｒａｎｄｏｍ  ａｃｃｅｓｓ  ｃｈａｎｎｅｌ）と称し、当該ＰＲＡＣＨ資源を介し、１以上の端末（１ｄ−０１）が、同時にランダムアクセスプリアンブルを伝送する場合も発生し得る。
ＰＲＡＣＨ資源は、１サブフレームに亘っていたり、１サブフレーム内の一部シンボルだけが使用されることもある。
ＰＲＡＣＨ資源に関連する情報は、基地局（１ｄ−０３）がブロードキャストするシステム情報内に含まれ、それにより、端末（１ｄ−０１）は、どの時間周波数資源でプリアンブルを伝送しなければならないかということを知ることができる。
また、ランダムアクセスプリアンブルは、基地局（１ｄ−０３）と完全に同期される前に伝送しても、受信が可能になるように、特別に設計された特定のシーケンスであり、標準により、複数個のプリアンブル識別子（ｉｎｄｅｘ）が存在する場合がある。
もし、複数個のプリアンブル識別子があるとき、端末（１ｄ−０１）が伝送するプリアンブルは、端末（１ｄ−０１）がランダムに選択したものでもあり、あるいは基地局（１ｄ−０３）が指定した特定プリアンブルである。
【００３７】
段階（１ｄ−２１）において、プリアンブルを基地局（１ｄ−０３）が受信した場合、それに対するランダムアクセス応答（ｒａｎｄｏｍ  ａｃｃｅｓｓ  ｒｅｓｐｏｎｓｅ：ＲＡＲ）メッセージを端末（１ｄ−０１）に伝送する。
ＲＡＲメッセージは、ＲＡＲウィンドウでも送信される（１ｄ−２３）。
ＲＡＲメッセージには、（１ｄ−１１）段階で使用したプリアンブルの識別子情報、上向きリンク伝送タイミング補正情報、以後段階（すなわち、１ｄ−３１段階）で使用する上向きリンク資源割り当て情報、及び臨時端末識別子情報の内の少なくとも一つが含まれる。
プリアンブルの識別子情報は、例えば、（１ｄ−１１）段階において、複数個の端末１（ｄ−０１）が互いに異なるプリアンブルを伝送してランダムアクセスを試みる場合、ＲＡＲメッセージがどのプリアンブルに対する応答メッセージであるかということを知らせるためにも伝送される。
【００３８】
上向きリンク資源割り当て情報は、（１ｄ−３１）段階において、端末（１ｄ−０１）が使用する資源の詳細情報であり、資源の物理的位置及び大きさ、伝送時に使用される復号化及びコーディング方法（ｍｏｄｕｌａｔｉｏｎ  ａｎｄ  ｃｏｄｉｎｇ  ｓｃｈｅｍｅ：ＭＣＳ）、伝送時の電力調整情報などが含まれる。
臨時端末識別子情報は、もしプリアンブルを伝送した端末（１ｄ−０１）が初期接続を行う場合、端末が、基地局（１ｄ−０３）との通信のために基地局（１ｄ−０３）によって割り当てられた識別子を保有していないために、一時的に割り当てられて使用するために伝送される値である。
【００３９】
ＲＡＲメッセージは、プリアンブルを送った後、所定時間後から始めて所定期間内、伝送されなければならず、前述の期間を「ＲＡＲウィンドウ」と言う。
ＲＡＲウィンドウは、最も最初のプリアンブルを伝送した後、所定時間が過ぎた時点からＲＡＲウィンドウを始める。
該所定時間は、サブフレーム単位（１ｍｓ）、又はそれより小さな値を有する。
また、ＲＡＲウィンドウ長は、基地局（１ｄ−０３）がブロードキャストするシステム情報メッセージ内において、基地局（１ｄ−０１３）がそれぞれのＰＲＡＣＨ資源別、又は１以上のＰＲＡＣＨ資源セット（ｓｅｔ）別に設定する所定値である。
【００４０】
ＲＡＲメッセージが伝送されるとき、基地局（１ｄ−０３）は、ＰＤＣＣＨを介してＲＡＲメッセージをスケジューリングし、スケジューリング情報は、ＲＡ−ＲＮＴＩ（ｒａｎｄｏｍ  ａｃｃｅｓｓ−ｒａｄｉｏ  ｎｅｔｗｏｒｋ  ｔｅｍｐｏｒａｒｙ  ｉｄｅｎｔｉｆｉｅｒ）を使用してスクランブリングされる。
ＲＡ−ＲＮＴＩは、（１ｄ−１１）メッセージ伝送に使用したＰＲＡＣＨ資源とマッピングされることにより、特定ＰＲＡＣＨ資源にプリアンブルを伝送した端末（１ｄ−０１）は、ＲＡ−ＲＮＴＩを基にＰＤＣＣＨ受信を試み、対応するＲＡＲメッセージがあるか否かということを判断する。
【００４１】
すなわち、もしＲＡＲメッセージが、本例示の図のように、端末（１ｄ−０１）が（１ｄ−１１）段階で伝送したプリアンブルに対する応答である場合、本ＲＡＲメッセージスケジューリング情報に使用されたＲＡ−ＲＮＴＩは、（１ｄ−１１）伝送に関連する情報を含み得る。
そのために、ＲＡ−ＲＮＴＩは、下記に示す数式１によって計算される。
（数１）
ＲＡ−ＲＮＴＩ＝１＋「ｓ＿ｉｄ」＋１４×「ｔ＿ｉｄ」＋１４×８０×「ｆ＿ｉｄ」＋１４×８０×８×「ｕｌ＿ｃａｒｒｉｅｒ＿ｉｄ」
【００４２】
このとき、「ｓ＿ｉｄ」は、（１ｄ−１１）段階で送ったプリアンブル伝送が始まった最初ＯＦＤＭシンボルに対応するインデックスであり、０≦「ｓ＿ｉｄ」＜１４（すなわち、１スロット内における最大ＯＦＤＭ個数）値を有する。
また、「ｔ＿ｉｄ」は、（１ｄ−１１）段階で伝送したプリアンブル伝送が始まった最初スロットに対応するインデックスであり、０≦「ｔ＿ｉｄ」＜８０（すなわち、１システムフレーム（１０ｍｓ）内の最大スロット個数）値を有する。
また、「ｆ＿ｉｄ」は、（１ｄ−１１）段階で伝送したプリアンブルが伝送される周波数に関連するＰＲＡＣＨ資源に伝送されたか否かということを示し、それは、０≦「ｆ＿ｉｄ」＜８（すなわち、同一時間内における周波数上の最大ＰＲＡＣＨ個数）値を有する。
そして、「ｕｌ＿ｃａｒｒｉｅｒ＿ｉｄ」は、１つのセルについて、上向きリンクで２つの搬送波を使用する場合、基本上向きリンク（ｎｏｒｍａｌ  ｕｐｌｉｎｋ：ＮＵＬ）でプリアンブルを伝送したか（この場合、「０」）、付加上向きリンク（ｓｕｐｐｌｅｍｅｎｔａｒｙ  ｕｐｌｉｎｋ：ＳＵＬ）でプリアンブルを伝送したか（この場合、「１」）ということを区分するための因子である。
【００４３】
段階（１ｄ−３１）において、ＲＡＲメッセージを受信した端末（１ｄ−０１）は、ＲＡＲメッセージに割り当てられた資源に、前述の多様な目的によって異なるメッセージを伝送することができる。
このとき、伝送されるメッセージは、本例示の図において、３番目に伝送されるメッセージであり、Ｍｓｇ３と称する（すなわち（１ｄ−１１）段階又は（１ｄ−１３）段階のプリアンブルをＭｓｇ１、（１ｄ−２１）段階のＲＡＲをＭｓｇ２と称する）。
端末（１ｄ−０１）が伝送するＭｓｇ３の例としては、初期接続である場合、ＲＲＣ階層のメッセージである「ＲＲＣＣｏｎｎｅｃｔｉｏｎＲｅｑｕｅｓｔ」メッセージが伝送され、もし、再接続である場合、「ＲＲＣＣｏｎｎｅｃｔｉｏｎＲｅｅｓｔａｂｌｉｓｈｍｅｎｔＲｅｑｕｅｓｔ」メッセージが伝送され、もし、ハンドオーバー時には、「ＲＲＣＣｏｎｎｅｃｔｉｏｎＲｅｃｏｎｆｉｇｕｒａｔｉｏｎＣｏｍｐｌｅｔｅ」メッセージが伝送される。
他の例として、資源要請のためのバッファ状態報告（ｂｕｆｆｅｒ  ｓｔａｔｕｓ  ｒｅｐｏｒｔ：ＢＳＲ）メッセージなどが伝送されてもよい。
【００４４】
端末（１ｄ−０１）は、もしＭｓｇ３が初期伝送である場合について（すなわち、Ｍｓｇ３に、端末がすでに割り当てられている基地局識別子情報が含まれない場合）、段階（１ｄ−４１）において、競争解消メッセージを基地局（１ｄ−０３）から受信し、競争解消メッセージは、端末（１ｄ−０１）が伝送した内容がＭｓｇ３にそのまま含まれ、もし（１ｄ−１１）段階又は（１ｄ−１３）段階において、同一プリアンブルを選択した複数個の端末（１ｄ−０１）がある場合にも、どの端末（１ｄ−０１）に対する応答であるかということについて基地局（１ｄ−０３）に知らせる。
【００４５】
図１Ｅは、本発明の一実施形態による端末（１ｅ−０１）が、基地局（ＮＢ）（１ｅ−０３）に、非競争ベースのランダムアクセスを実行する手続きについて説明するための図である。
図１Ｅを参照すると、非競争ベースにおいては、基地局（１ｅ−０３）が、端末（１ｅ−０１）に対し、上向きリンクタイミング整列が必要なとき、又はハンドオーバー時のような場合、特定ランダムアクセス資源（特定プリアンブルインデックス及び／又は特定時間／周波数上のＰＲＡＣＨ資源）を割り当て、端末（１ｅ−０１）にランダムアクセスを実行させる。
【００４６】
段階（１ｅ−１１）において、基地局（１ｅ−０３）は、端末（１ｅ−０１）に対し、非競争ベースのランダムアクセスを実行させるために、専用ランダムアクセス資源を割り当てる。
ここで、専用ランダムアクセス資源は、特定プリアンブルインデックス及び／又は特定時間／周波数上のＰＲＡＣＨ資源である。
また、専用ランダムアクセス資源に関連する情報は、ＰＤＣＣＨを介して割り当てられるか、あるいはＲＲＣ階層のメッセージを介して伝送される。
ＲＲＣ階層のメッセージとしては、「ＲＲＣＲｅｃｏｎｆｉｇｕｒａｔｉｏｎ」のようなメッセージが使用される。
【００４７】
従って、段階（１ｅ−２１）において、端末（１ｅ−０１）は、割り当てられた専用ランダムアクセス資源に、ランダムアクセスプリアンブルを伝送する。
段階（１ｅ−３１）において、プリアンブルを基地局（１ｅ−０３）が受信した場合、それに対するＲＡＲメッセージを端末（１ｅ−０１）に伝送する。
ＲＡＲメッセージには、（１ｅ−２１）段階に使用されたプリアンブルの識別子情報、上向きリンク伝送タイミング補正情報、以後段階で使用する上向きリンク資源割り当て情報、及び臨時端末識別子情報の内の少なくとも一つが含まれる。
【００４８】
プリアンブルの識別子情報は、例えば、（１ｅ−１１）段階において、複数個の端末（１ｅ−０１）が互いに異なるプリアンブルを伝送し、ランダムアクセスを試みる場合、ＲＡＲメッセージがどのプリアンブルに対する応答メッセージであるかということを知らせるために伝送される。
上向きリンク資源割り当て情報は、ＲＡＲ受信後、端末（１ｅ−０１）が使用する資源の詳細情報であり、本図には、示していないが、ＲＡＲ受信後、当該資源に上向きリンクを伝送する。
臨時端末識別子情報は、もしプリアンブルを伝送した端末が初期接続を行う場合、端末（１ｅ−０１）が、基地局（１ｅ−０３）との通信のために、基地局（１ｅ−０３）が割り当てた識別子を保有していないために、一時的に使用するために伝送される値である。
【００４９】
ＲＡＲメッセージは、プリアンブルを送った後、所定時間後から始めて所定期間内に伝送されなければならず、前述の期間をＲＡＲウィンドウ（１ｅ−２３）と言う。
ＲＡＲウィンドウは、最も最初のプリアンブルを伝送した後、所定時間が経った時点からＲＡＲウィンドウを開始する。
所定時間は、サブフレーム単位（１ｍｓ）、又はそれより小さい値を有する。
また、ＲＡＲウィンドウの長さは、基地局（１ｅ−０３）がブロードキャストするシステム情報メッセージ内において、基地局（１ｅ−０３）がそれぞれＰＲＡＣＨ資源別、又は１以上のＰＲＡＣＨ資源セット別に設定する所定値である。
【００５０】
ＲＡＲメッセージが伝送されるとき、基地局（１ｅ−０３）は、ＰＤＣＣＨを介して当該ＲＡＲメッセージをスケジューリングし、当該スケジューリング情報は、ＲＡ−ＲＮＴＩ（ｒａｎｄｏｍ  ａｃｃｅｓｓ−ｒａｄｉｏ  ｎｅｔｗｏｒｋ  ｔｅｍｐｏｒａｒｙ  ｉｄｅｎｔｉｆｉｅｒ）を使用してスクランブリングされる。
ＲＡ−ＲＮＴＩは、段階（１ｅ−１１）において、メッセージ伝送に使用したＰＲＡＣＨ資源とマッピングされることにより、特定ＰＲＡＣＨ資源にプリアンブルを伝送した端末（１ｅ−０１）は、当該ＲＡ−ＲＮＴＩを基にＰＤＣＣＨ受信を試み、対応するＲＡＲメッセージがあるか否かということを判断する。
【００５１】
すなわち、もしＲＡＲメッセージが、本例示の図のように、端末が（１ｅ−１１）段階で伝送したプリアンブルに対する応答である場合、本ＲＡＲメッセージスケジューリング情報に使用されたＲＡ−ＲＮＴＩは、当該（１ｅ−１１）伝送に関連する情報を含み得る。
そのために、ＲＡ−ＲＮＴＩは、下記に示す数式２によって計算される。
（数２）
ＲＡ−ＲＮＴＩ＝１＋「ｓ＿ｉｄ」＋１４×「ｔ＿ｉｄ」＋１４×８０×「ｆ＿ｉｄ」＋１４×８０×８×「ｕｌ＿ｃａｒｒｉｅｒ＿ｉｄ」
【００５２】
このとき、「ｓ＿ｉｄ」は、（１ｅ−１１）段階で伝送したプリアンブル伝送が始まった最初ＯＦＤＭシンボルに対応するインデックスであり、０≦「ｓ＿ｉｄ」＜１４（すなわち、１スロット内における最大ＯＦＤＭ個数）値を有する。
また、「ｔ＿ｉｄ」は、（１ｅ−１１）段階で伝送したプリアンブル伝送が始まった最初スロットに対応するインデックスであり、０≦「ｔ＿ｉｄ」＜８０（すなわち、１システムフレーム（１０ｍｓ）内の最大スロット個数）値を有する。
また、「ｆ＿ｉｄ」は、（１ｅ−１１）段階で伝送されたプリアンブルが、周波数上の何番目ＰＲＡＣＨ資源に伝送されたか否かということを示し、それは、０≦「ｆ＿ｉｄ」＜８（すなわち、同一時間内における周波数上最大ＰＲＡＣＨ個数）値を有する。
そして、「ｕｌ＿ｃａｒｒｉｅｒ＿ｉｄ」は、１つのセルについて、上向きリンクで２つの搬送波を使用する場合、基本上向きリンク（ｎｏｒｍａｌ  ｕｐｌｉｎｋ：ＮＵＬ）でプリアンブルを伝送したか（その場合、「０」）、あるいは付加上向きリンク（ｓｕｐｐｌｅｍｅｎｔａｒｙ  ｕｐｌｉｎｋ：ＳＵＬ）でプリアンブルを伝送したか（その、場合「１」）ということを区分するための因子である。
【００５３】
非競争ベースのランダムアクセスを行った端末（１ｅ−０１）は、伝送したプリアンブルに該当するＲＡＲメッセージを受信した場合、ランダムアクセスは、成功裏に終わったと判断する。
その後、ＲＡＲメッセージで割り当てられた上向きリンクにメッセージを伝送する。
【００５４】
図１ＦＡ、図１ＦＢ、及び図１ＦＣは、本発明の一実施形態による無線通信システムにおいて、部分的な周波数帯域を適用するシナリオについて説明するための図である。
部分的な周波数帯域（ｂａｎｄｗｉｄｔｈ  ｐａｒｔ：ＢＷＰ）適用技術とは、一端末が１セルによって利用されるシステム周波数帯域幅（ｓｙｓｔｅｍ  ｂａｎｄｗｉｄｔｈ）の内、一部周波数帯域幅のみを利用して通信を行うことを意味する。
ＢＷＰは、端末製造コスト節減又は端末節電の目的にも利用される。
ＢＷＰは、それを支援する端末に限り、基地局によって設定され得る。
【００５５】
図１ＦＡ、図１ＦＢ、及び図１ＦＣを参照すると、大きく見て、３種のＢＷＰ運用シナリオが存在し得る。
図１ＦＡを参照すると、第１シナリオは、１セルによって利用されるシステム周波数帯域幅（１ｆ−０５）より狭い周波数帯域幅（１ｆ−１０）のみを支援する端末のために、ＢＷＰを適用するものである。
製造コスト節減のために、特定端末は、制限された周波数帯域幅を支援するように開発される。
端末は、基地局に、制限された周波数帯域幅のみを支援すると報告しなければならず、基地局は、それにより、端末が支援する最大帯域幅、又はそれ以下のＢＷＰを設定する。
【００５６】
図１ＦＢを参照すると、第２シナリオは、端末節電を目的にＢＷＰを適用するものである。
一例として、１端末が１セルによって利用されるシステム周波数帯域幅全体（１ｆ−１５）、又はその一部周波数帯域幅（１ｆ−２０）を利用し、通信を行っていたが、節電を目的に、通信基地局がさらに狭い周波数帯域幅（１ｆ−２５）を設定することができる。
【００５７】
図１ＦＣを参照すると、第３シナリオは、それぞれ異なる「ｎｕｍｅｒｏｌｏｇｙ」に対応する個別的なＢＷＰを適用するものである。
「Ｎｕｍｅｒｏｌｏｇｙ」とは、多様なサービス要求事項に合わせて最適のデータ伝送を具現するために、物理階層設定を多様化させることを意味する。
一例として、複数個のサブキャリアで構成されるＯＦＤＭＡ構造において、サブキャリア間の離隔距離を、所定要求事項により、可変的に調整する。
１端末は、同時に複数個の「ｎｕｍｅｒｏｌｏｇｙ」を適用して通信する。
このとき、各「ｎｕｍｅｒｏｌｏｇｙ」に対応する物理階層設定は、異なるために、各「ｎｕｍｅｒｏｌｏｇｙ」を個別的なＢＷＰ（１ｆ−３０、１ｆ−３５）に分離して適用させることが望ましい。
【００５８】
１サービングセル内において、下向きリンクと上向きリンクとについて、それぞれ複数個のＢＷＰが存在し得る。
それにより、端末が前述のランダムアクセスを実行するとき、１つの上向きリンクＢＷＰを介してランダムアクセスプリアンブルを伝送したとき、下向きリンクＢＷＰがいくつかある場合、端末がどの下向きリンクＢＷＰからＲＡＲを受信しなければならないかということに関連するあいまいさが発生する可能性がある。
そのようなあいまいさをなくすために、下向きリンクＢＷＰと上向きリンクＢＷＰとの接続関係（ｌｉｎｋａｇｅ）を定義する。
【００５９】
例えば、１サービングセル（例えば、ＰＣｅｌｌ）内において、端末がサービングセルの上向きリンクＢＷＰ「３番」にプリアンブルを伝送した場合、サービングセル（例えば、ＰＣｅｌｌ）の下向きリンクＢＷＰ「３番」からＲＡＲ応答を受けるならば、前述のあいまいさは消える。
しかし、端末が、前述のＣＡ状況において、ＳＣｅｌｌでランダムアクセスを行う場合、ＳＣｅｌｌにプリアンブルを伝送し、ＰＣｅｌｌからＲＡＲ応答を受けることにもなる。
前述のような状況においても、端末がどのＰＣｅｌｌの下向きリンクＢＷＰからＲＡＲを受信しなければならないかということについて定義されてこそ、ランダムアクセスを成功裏に実行できる。
【００６０】
図１Ｇは、本発明の一実施形態による端末の動作について説明するためのフローチャートである。
図１Ｇを参照すると、端末が休眠モードにある場合、端末は、基地局が放送する情報によってランダムアクセスを行い、ＲＲＣ接続要請メッセージを伝送し、ＲＲＣ接続設定メッセージを受信し、ＲＲＣ接続設定を実行する（ステップＳ（１ｇ−０３））。
【００６１】
端末は、ＲＲＣ接続設定メッセージを介し、又はその後の追加ＲＲＣメッセージ（例えば、「ＲＲＣＲｅｃｏｎｆｉｇｕｒａｔｉｏｎ」メッセージ）を介し、ＰＣｅｌｌのＢＷＰ設定情報（ＤＬＢＷＰＩＤ、ＵＬＢＷＰＩＤを含む）を取得する（ステップＳ（１ｇ−０５））。
それにより、前述の例示のように、端末は、ＢＷＰＩＤ基準による、ＤＬ／ＵＬＢＷＰ接続関係を決定し、又はシグナリングメッセージを介し、それぞれの下向きリンクＢＷＰＩＤと上向きリンクＢＷＰＩＤとについての接続関係／マッピング情報を直接受信する。  
【００６２】
ステップＳ（１ｇ−０７）において、端末は、基地局からＣＡ機能のために、多数のＳＣｅｌｌを追加して設定される。
このとき、端末は、サービングセル別に、ＢＷＰ設定情報（ＤＬＢＷＰＩＤ、ＵＬＢＷＰＩＤ含む）を取得する。
それにより、前述の例示のように、ＢＷＰＩＤ基準で、ＤＬ／ＵＬＢＷＰ接続関係を決定し、又はシグナリングメッセージを介し、それぞれの下向きリンクＢＷＰＩＤと上向きリンクＢＷＰＩＤとに関連する接続関係／マッピング情報を直接受信する。
このとき、後述する方案の種類により、端末は、上向きリンクＢＷＰＩＤに関連するＰＣｅｌｌの下向きリンクＢＷＰＩＤを追加して決定するか、あるいは、それを直接シグナリングされ得る。
【００６３】
例えば、ＳＣｅｌｌ「１番」の上向きリンクＢＷＰＩＤが「３番」である場合、それに対応するＰＣｅｌｌの下向きリンクＢＷＰＩＤを「３番」にマッピングすることができる（間接マッピング）。
他の例として、基地局が端末に、直接ＳＣｅｌｌ「１番」の上向きリンクのＢＷＰＩＤ「３番」に関連するＰＣｅｌｌの下向きリンクＢＷＰＩＤを、「３番」又は他のＢＷＰＩＤに直接マッピングすることもできる（直接マッピング）。
もし間接マッピングを使用する場合、ＳＣｅｌｌの上向きリンクＢＷＰＩＤ個数が、ＰＣｅｌｌの下向きリンクＢＷＰＩＤ個数より多い場合が発生する可能性があり、そのようなときは、ＰＣｅｌｌの最大下向きリンクＢＷＰＩＤより大きい値を有する上向きリンクＢＷＰＩＤでランダムアクセスを行う場合、それに対応するＰＣｅｌｌの下向きリンクＢＷＰＩＤは、所定値を有する。
所定値は「０」、ＰＣｅｌｌの最大下向きリンクＢＷＰＩＤであるか、又は基地局が直接ＲＲＣ階層のメッセージで設定する。
【００６４】
ステップＳ（１ｇ−０９）において、端末は、図１Ｄ及び図１Ｅのところで述べたように、競争ベースのランダムアクセス、又は非競争ベースのランダムアクセスを、ＰＣｅｌｌ又はＳＣｅｌｌで実行する。
このとき、端末は、下向きリンクＢＷＰをスイッチング（変更）するか否かということを、下記に示す三種の方案の内の一つを使用して決定する。
ここで、下記の例示に制限されないということは、言うまでもない。
【００６５】
方案１：端末が競争ベースのランダムアクセスを実行するのならば、端末がランダムアクセスを実行するサービングセル（ＰＣｅｌｌ又はＳＣｅｌｌ）の上向きリンクＢＷＰＩＤにマッピングされたサービングセルの下向きリンクＢＷＰＩＤと、サービングセルの現在の下向きリンクＢＷＰＩＤとが異なる場合、ＢＷＰのスイッチングを行い、非競争ベースのランダムアクセスを実行するのならば、端末は、端末がランダムアクセスを実行するサービングセルの上向きリンクＢＷＰＩＤにマッピングされたサービングセルの下向きリンクＢＷＰＩＤと、サービングセルの現在の下向きリンクＢＷＰＩＤとが異なる場合でも、ＢＷＰのスイッチングを行わない。
【００６６】
方案２：端末がＰＣｅｌｌでランダムアクセスを実行する場合、端末の現在のＰＣｅｌｌの下向きリンクＢＷＰＩＤが、端末がランダムアクセスを実行するＰＣｅｌｌの上向きリンクＢＷＰＩＤにマッピングされたＰＣｅｌｌの下向きリンクＢＷＰＩＤと異なる場合、端末は、ＰＣｅｌｌの下向きリンクＢＷＰＩＤを、端末がランダムアクセスを実行するＰＣｅｌｌの上向きリンクＢＷＰＩＤにマッピングされたＰＣｅｌｌの下向きリンクＢＷＰＩＤにスイッチングする。
しかし、ＳＣｅｌｌでランダムアクセスを実行する場合には、端末は、端末がランダムアクセスを実行するＳＣｅｌｌの上向きリンクＢＷＰＩＤにマッピングされたＰＣｅｌｌ又はＳＣｅｌｌの下向きリンクＢＷＰＩＤと、現在の下向きリンクＢＷＰＩＤとが異なる場合でも、ＢＷＰのスイッチングを行わない。
【００６７】
方案３：端末がＰＣｅｌｌ又はＳＣｅｌｌでランダムアクセスを実行する場合、端末の現在のＰＣｅｌｌの下向きリンクＢＷＰＩＤが、端末がランダムアクセスを実行するサービングセル（ＰＣｅｌｌ又はＳＣｅｌｌ）の上向きリンクＢＷＰＩＤにマッピングされたＰＣｅｌｌの下向きリンクＢＷＰＩＤと異なる場合、端末は、ＰＣｅｌｌの下向きリンクＢＷＰＩＤを、端末がランダムアクセスを行うサービングセルの上向きリンクＢＷＰＩＤにマッピングされたＰＣｅｌｌの下向きリンクＢＷＰＩＤにスイッチングする。
【００６８】
上記方案の内の１つの方案により、端末がランダムアクセスを実行するとき、ＢＷＰスイッチングが必要であると判断する場合（ステップＳ（１ｇ−１１））、端末は、サービングセルの下向きリンクＢＷＰスイッチング後、ランダムアクセスを実行する（ステップＳ（１ｇ−１３））。
もしＢＷＰスイッチングが必要ではないと判断する場合、端末は、現在活性化されたＢＷＰでそのままランダムアクセスを実行する（ステップＳ（１ｇ−１５））。
【００６９】
前述の全ての内容において、ＰＣｅｌｌに係わる内容は、１端末が基地局２個と同時に接続して使用する二重接続の場合、主基地局（ｍａｉｎ  ｎｏｄｅ  Ｂ）以外の副基地局（ｓｅｃｏｎｄａｒｙ  ｎｏｄｅ  Ｂ）での主セルの役割を行うＳＣＧ（ｐｒｉｍａｒｙ  ｓｅｃｏｎｄａｒｙ  ｃｅｌｌ  ｇｒｏｕｐ）においても、同一適用可能である。
また、ＰＣｅｌｌとＰＳＣｅｌｌとを総称してＳｐＣｅｌｌと称し、ＰＣｅｌｌの内容は、ＳｐＣｅｌｌに置換可能である。
【００７０】
図２Ａは、本発明の一実施形態による端末が、基地局に実行する競争ベース及び非競争ベースのランダムアクセス手続きについて説明するための図である。
ランダムアクセスが必要な場合としては、初期接続、再接続、ハンドオーバー、それ以外に多様な場合が含まれる。
図２Ａを参照すると、本実施形態においては、競争ベースのランダムアクセス手続きについて主に説明する。
【００７１】
段階（２ａ−０９）において、非競争ベースのランダムアクセス手続きにおいては、基地局（２ａ−０３９が端末（２ａ−０１）に、非競争ベースのランダムアクセスを実行するようにするために、専用ランダムアクセス資源を割り当てる手続きが、ランダムアクセス以前に存在し得る。
専用ランダムアクセス資源は、特定プリアンブルインデックス、そして／又は特定時間／周波数上のＰＲＡＣＨ資源である。
また、専用ランダムアクセス資源に関連する情報は、ＰＤＣＣＨを介して割り当てられるか、あるいはＲＲＣ階層のメッセージを介して伝送される。
【００７２】
ＲＲＣ階層のメッセージとしては、「ＲＲＣＲｅｃｏｎｆｉｇｕｒａｔｉｏｎ」のようなメッセージが使用され得る。
それにより、もし端末が現在実行するランダムアクセス手続きについて、基地局から割り当てられた専用ランダムアクセス資源が存在する場合、端末は、ランダムアクセス資源を介し、ランダムアクセスプリアンブルを伝送する。
また、非競争ベースランダムアクセスにおいては、後述するＲＡＲメッセージに、端末が伝送したプリアンブルがある場合、ランダムアクセスが成功裏に完了したと判断し、ランダムアクセス手続きを終了する。
【００７３】
以下で記述する内容は、競争ベースのランダムアクセス手続きについての説明である。
段階（２ａ−１１）において、端末（ＵＥ）（２ａ−０１）は、基地局（ＮＢ）（２ａ−０３）への接続のために、ランダムアクセスプリアンブルを、ランダムアクセスのための物理チャネルを介して伝送する（２ａ−１１）。
ランダムアクセスのための物理チャネルを、ＰＲＡＣＨと称し、ＰＲＡＣＨ資源に１以上の端末が同時にランダムアクセスプリアンブルを伝送する場合に発生する。
ＰＲＡＣＨ資源は、１サブフレームに亘っていたり、あるいは１サブフレーム内の一部シンボルだけが使用されることもある。
ＰＲＡＣＨ資源に関連する情報は、基地局がブロードキャストするシステム情報内に含まれ、それを介して端末は、どの時間周波数資源にランダムアクセスプリアンブルを伝送しなければならないかということを知ることができる。
また、ランダムアクセスプリアンブルは、基地局と完全に同期される前に伝送しても受信が可能になるように、特別に設計された特定シーケンスであり、標準により、複数個のプリアンブル識別子（ｉｎｄｅｘ）が存在する場合があり、もし複数個のプリアンブル識別子がある場合、端末が伝送するランダムアクセスプリアンブルは、端末がランダムに選択したものでもあり、あるいは基地局が指定した特定プリアンブルである。
【００７４】
ランダムアクセスプリアンブル（又は、他の端末が伝送したプリアンブル）を基地局が受信した場合、基地局（２ａ−０３）は、それに対するランダムアクセス応答（ＲＡＲ）メッセージを端末に伝送する（２ａ−２１）。
ＲＡＲメッセージには、（２ａ−１１）段階において使用されたランダムアクセスプリアンブルの識別子情報、上向きリンク伝送タイミング補正情報、以後段階（すなわち、（２ａ−３１）段階）で使用する上向きリンク資源割り当て情報、及び臨時端末識別子情報の内の少なくとも一つが含まれる。
【００７５】
ランダムアクセスプリアンブルの識別子情報は、例えば、（２ａ−１１）段階において、複数個の端末が互いに異なるプリアンブルを伝送してランダムアクセスを試みる場合、ＲＡＲメッセージがどのプリアンブルに対する応答メッセージであるかということを知らせるために伝送される。
上向きリンク資源割り当て情報は、（２ａ−３１）段階において、端末が使用する資源の詳細情報であり、資源の物理的位置及び大きさ、伝送時に使用される復号化、及びコーディング方法（ＭＣＳ）、伝送時の電力調整情報などが含まれる。
臨時端末識別子情報は、もしランダムアクセスプリアンブルを伝送した端末が、初期接続を行う場合、端末が基地局との通信のために、基地局で割り当てられた識別子を保有していないために、一時的に割り当てられて使用するために伝送される値である。
【００７６】
また、もし基地局が、受信されるＰＲＡＣＨのエネルギー量などで判断するとき、又は一定時間の間、ＰＲＡＣＨを介して受信されるランダムアクセスプリアンブルの個数が所定個数以上と判断され、競争基盤ランダムアクセスを行う端末が過度に多いと判断される場合、端末は、ＲＡＲメッセージにバックオフ指示子情報が含まれたサブヘッダを受信する。
サブヘッダは、ＲＡＲメッセージの最も最初の部分に位置する。
バックオフ指示子は、４ビットサイズを有し、下記に示す表１の値を有する。
【表１】
2021519535.tif 000003
【００７７】
もし端末が、後述する「ＲＡＲウィンドウ」期間内に伝送したプリアンブルに対する応答を受けることができず、バックオフ指示子情報のみを受信した場合、端末は、競争ベースプリアンブル再伝送時に受信した値と「０」との間の任意数を選択し、選択した任意の数ほど（２ａ−６１のバックオフの間）、競争ベースプリアンブル再伝送時間を遅延させる。
【００７８】
ＲＡＲメッセージは、ランダムアクセスプリアンブルを伝送した後、所定時間後から始めて所定期間内、伝送されなければならず、前述の期間を「ＲＡＲウィンドウ」と言う（２ａ−５１、２ａ−５３）。
ＲＡＲウィンドウは、最も最初のランダムアクセスプリアンブルを伝送した後から所定時間が経った時点からも開始される。
所定時間は、サブフレーム単位（２ｍｓ）、又はそれより小さい値を有する。
また、ＲＡＲウィンドウの長さは、基地局がブロードキャストするシステム情報メッセージ内において、基地局が各ＰＲＡＣＨ資源別、又は１以上のＰＲＡＣＨ資源セット別に設定する所定値である。
なお、ＲＡＲメッセージが伝送されるとき、基地局は、ＰＤＣＣＨを介し、ＲＡＲメッセージをスケジューリングし、スケジューリング情報は、ＲＡ−ＲＮＴＩを使用してスクランブリングされる。
【００７９】
ＲＡ−ＲＮＴＩは、（２ａ−１１）において、ランダムアクセスプリアンブルを伝送するのに使用したＰＲＡＣＨ資源とマッピングされることにより、特定ＰＲＡＣＨ資源にランダムアクセスプリアンブルを伝送した端末は、ＲＡ−ＲＮＴＩを基にＰＤＣＣＨ受信を試み、対応するＲＡＲメッセージがあるか否かということを判断する。
【００８０】
すなわち、もしＲＡＲメッセージが、本例示の図のように、端末が（２ａ−１１）段階で伝送したプリアンブルに対する応答である場合、本ＲＡＲメッセージスケジューリング情報に使用されたＲＡ−ＲＮＴＩは、段階（２ａ−１１）における伝送に関連する情報を含み得る。
そのために、ＲＡ−ＲＮＴＩは、下記に示す数式３によって計算される。
（数３）
ＲＡ−ＲＮＴＩ＝１＋「ｓ＿ｉｄ」＋１４×「ｔ＿ｉｄ」＋１４×８０×「ｆ＿ｉｄ」＋１４×８０×８×「ｕｌ＿ｃａｒｒｉｅｒ＿ｉｄ」
【００８１】
このとき、「ｓ＿ｉｄ」は、（２ａ−１１）段階において伝送したランダムアクセスプリアンブル伝送が始まった最初ＯＦＤＭシンボルに対応するインデックスであり、０≦「ｓ＿ｉｄ」＜１４（すなわち、１スロット内における最大ＯＦＤＭ個数）値を有する。
また、「ｔ＿ｉｄ」は、（２ａ−１１）段階において伝送したランダムアクセスプリアンブル伝送が始まった最初スロットに対応するインデックスであり、０≦「ｔ＿ｉｄ」＜８０（すなわち、１システムフレーム（２０ｍｓ）内の最大スロット個数）値を有する。
また、「ｆ＿ｉｄ」は、（２ａ−１１）段階において伝送したランダムアクセスプリアンブルが、周波数上の何番目のＰＲＡＣＨ資源に伝送されたかということを示し、それは、０≦「ｆ＿ｉｄ」＜８（すなわち、同一時間内における周波数上最大ＰＲＡＣＨ個数）値を有する。
そして、「ｕｌ＿ｃａｒｒｉｅｒ＿ｉｄ」は、１つのセルについて、上向きリンクで２つの搬送波を使用する場合、基本上向きリンク（ＮＵＬ）でランダムアクセスプリアンブルを伝送したか（その場合、「０」）、付加上向きリンク（ＳＵＬ）でランダムアクセスプリアンブルを伝送したか（その場合、「１」）ということを区分するための因子である。
【００８２】
本実施形態においては、端末がプリアンブル伝送（２ａ−１１）に対応するＲＡ−ＲＮＴＩからＲＡＲメッセージは受信したが、伝送したプリアンブルに該当する識別子は、含まれていないシナリオを仮定した。
すなわち、例えば、本端末は総６４個のプリアンブル識別子の内の「７番」プリアンブルを伝送したが、基地局から受信したＲＡＲメッセージには、「４番」プリアンブルに対する応答だけ含まれた場合がそれに該当する。
それにより、前述のように、端末は、プリアンブル再伝送時に受信されたＢＩ（ｂａｃｋｏｆｆ  ｉｎｄｉｃａｔｏｒ）値がある場合、当該値からランダムに選択した値ほど遅延させ（２ａ−６１のバックオフの間）、ランダムアクセスプリアンブルを再伝送し（２ａ−１３）、それに対する応答を待ち（２ａ−５３）、段階（２ａ−２３）において、ＲＡＲメッセージを受信する。
それにより、もし競争ベースランダムアクセスを実行する端末が多い場合には、プリアンブル伝送が時間上に分散され、ランダムアクセス成功確率が上昇する。
【００８３】
それだけではなく、端末は、ランダムアクセスプリアンブルを再伝送する場合（２ａ−１３）、既に伝送したランダムアクセスプリアンブル（２ａ−１１）の伝送パワーに対比される、ランダムアクセスプリアンブルを伝送する伝送パワーを、基地局から設定された値（ｐｒｅａｍｂｌｅＰｏｗｅｒＲａｍｐｉｎｇＳｔｅｐ）により、当該パワーほど増大されたパワー（パワーラッピング）でプリアンブルを再伝送する。
それにより、再伝送回数が増加するほど、端末の最大伝送パワーに至るまでは、続けてパワーが増大されて伝送され、基地局において、信号到逹確率がさらに高くなる。
【００８４】
段階（２ａ−３１）において、ＲＡＲメッセージを受信した端末は、ＲＡＲメッセージに割り当てられた資源に、前述の多様な目的によって異なるメッセージを伝送する。
本実施形態において、３番目に伝送されるメッセージをＭｓｇ３と称する（すなわち、（２ａ−１１）段階又は（２ａ−１３）段階のランダムアクセスプリアンブルをＭｓｇ１、（２ａ−２１）段階のＲＡＲをＭｓｇ２とも言う）。
端末が伝送するＭｓｇ３の例示としては、初期接続である場合、ＲＲＣ階層のメッセージである「ＲＲＣＣｏｎｎｅｃｔｉｏｎＲｅｑｕｅｓｔ」メッセージが伝送され、再接続である場合、「ＲＲＣＣｏｎｎｅｃｔｉｏｎＲｅｅｓｔａｂｌｉｓｈｍｅｎｔＲｅｑｕｅｓｔ」メッセージが伝送され、ハンドオーバー時には、「ＲＲＣＣｏｎｎｅｃｔｉｏｎＲｅｃｏｎｆｉｇｕｒａｔｉｏｎＣｏｍｐｌｅｔｅ」メッセージが伝送される。
また、資源要請のためのバッファ状態報告（ＢＳＲ）メッセージなどが伝送されてもよい。
【００８５】
端末は、もし初期伝送である場合（すなわち、Ｍｓｇ３に端末がすでに割り当てられている基地局識別子情報が含まれていない場合）、競争解消メッセージを基地局から受信し（２ａ−４１）、競争解消メッセージには、端末がＭｓｇ３に伝送した内容がそのまま含まれ、もし（２ａ−１１）段階又は（２ａ−１３）段階において、同一ランダムアクセスプリアンブルを選択した複数個の端末がある場合にも、どの端末に対する応答であるかということについて知らせる。
【００８６】
各端末ごとにランダムアクセスを行う理由は、それぞれ異なり得る。
前述のように、初期接続（高い優先順位のトラフィックのための初期接続も含む）、ハンドオーバー、ＲＲＣ階層接続失敗による再設定などがあり、それ以外にも、高周波を使用するシステムにおいて、伝送ビームの方向が端末の方向と合わず、伝送に失敗するビーム失敗を復旧する場合にも、ランダムアクセスが使用され得る。
それにより、ハンドオーバー及びビーム失敗復旧場合には、さらに迅速なランダムアクセス実行が必要となる。
それは、端末がすでに通信を行っていて切れる場合であるので、ユーザの不都合を最小化させるためである。
【００８７】
従って、端末がハンドオーバー及びビーム失敗復旧を行うために、ランダムアクセスを実行する場合には、前述のバックオフ指示子及びパワーラッピング値であり、一般ランダムアクセス時とは異なる値が使用する。
例えば、当該用途として、バックオフ指示子は、さらに短い値を使用し、パワーラッピング値は、さらに大きい値を使用すれば、ランダムアクセス成功時間及びその確率をさらに高めることができる。
そのように、高優先順位を与えるためのパラメータを、高順位接続パラメータ（ｈｉｇｈ  ｐｒｉｏｒｉｔｙ  ａｃｃｅｓｓ：ＨＰＡ）と総称する。
【００８８】
また、ビーム失敗復旧の場合、端末は、ＰＣｅｌｌだけではなく、ＳＣｅｌｌにおいても、当該動作を実行することができ、それにより、ＨＰＡパラメータは、全てのサービングセルに共通してシグナリングされても適用される。
それ以外に、一般的なランダムアクセスパラメータ（前述のＲＡＲウィンドウサイズ、パワーラッピングサイズ、最大プリアンブル伝送回数）は、各サービングセル別に別途に基地局が設定することができる。
【００８９】
図２Ｂは、本発明の第１実施形態による端末の動作について説明するためのフローチャートである。
図２Ｂを参照すると、本実施形態において端末は、基地局にすでに接続モードで接続されて通信を行っている状態を仮定しており、その後、端末の移動により、他の基地局（又は、同一基地局内の他のセル）にハンドオーバーを行うシナリオを仮定する。
【００９０】
ステップＳ（２ｂ−０３）において、端末は、ソース基地局からハンドオーバー命令を受信する。
端末は、ＲＲＣ階層の「ＲＲＣＲｅｃｏｎｆｉｇｕｒａｔｉｏｎ」メッセージ内の「ＲｅｃｏｎｆｉｇｗｉｔｈＳｙｎｃ」というＩＥ（Ｉｎｆｏｒｍａｔｉｏｎ  ｅｌｅｍｅｎｔ）が含まれているとき、対応する基地局への移動する命令を受信する。
また、「ＲＲＣＲｅｃｏｎｆｉｇｕｒａｔｉｏｎ」メッセージ内には、第１ランダムアクセスパラメータと第２ランダムアクセスパラメータとが含まれ得る。
第１ランダムアクセスパラメータは、前述のＨＰＡパラメータと関連するパラメータのセットであり、全てのサービングセルに適用されるパラメータである。
さらに詳細には、バックオフ指示子と関連する「ＢａｃｋｏｆｆＳｃａｌｉｎｇＦａｃｔｏｒＨｉｇｈＰｒｉｏｒｉｔｙＡｃｃｅｓｓ」と、パワーラッピングと関連する「ｐｒｅａｍｂｌｅＰｏｗｅｒＲａｍｐｉｎｇＳｔｅｐＨｉｇｈＰｒｉｏｒｉｔｙＡｃｃｅｓｓ」とからなる。
【００９１】
「ＢａｃｋｏｆｆＳｃａｌｉｎｇＦａｃｔｏｒＨｉｇｈＰｒｉｏｒｉｔｙＡｃｃｅｓｓ」は、シグナリングされたバックオフ時間対比で、１／２、１／４、又は０のように、既存バックオフ指示子でシグナリングされた値よりどれほどスケーリングして時間を適用するかということを指示する値である。
例えば、シグナリングされたバックオフ時間が１０ｍｓであるが、「ＢａｃｋｏｆｆＳｃａｌｉｎｇＦａｃｔｏｒＨｉｇｈＰｒｉｏｒｉｔｙＡｃｃｅｓｓ」が１／２である場合、端末がハンドオーバー及びビーム失敗復旧のために、ランダムアクセスを実行する場合、プリアンブル再伝送時、端末は、０と５ｍｓ（１０ｍｓ×１／２）との値の間のランダム値を選択し、ランダムアクセスを遅延させた後、ランダムアクセスを実行する。
また、「ｐｒｅａｍｂｌｅＰｏｗｅｒＲａｍｐｉｎｇＳｔｅｐＨｉｇｈＰｒｉｏｒｉｔｙＡｃｃｅｓｓ」は、前述のような高い優先順位のランダムアクセスを行う場合、端末は、一般ランダムアクセス時、伝送パワーを増大加させる値である「ｐｒｅａｍｂｌｅＰｏｗｅｒＲａｍｐｉｎｇＳｔｅｐ」値の代わりに、「ｐｒｅａｍｂｌｅＰｏｗｅｒＲａｍｐｉｎｇＳｔｅｐＨｉｇｈＰｒｉｏｒｉｔｙＡｃｃｅｓｓ」ほど伝送パワーを増大させ、ランダムアクセスを実行する。
【００９２】
また、第２ランダムアクセスパラメータは、一般的なランダムアクセス実行のための全ての設定を意味し、ＲＡＲウィンドウサイズ、「ｐｒｅａｍｂｌｅＰｏｗｅｒＲａｍｐｉｎｇＳｔｅｐ」、最大プリアンブル伝送回数などを含み、それらはＣＡ設定時、各サービングセル別に設定される値である。
それにより、端末は、各サービングセル別にランダムアクセスを実行するとき、サービングセル別に設定された値を適用し、ランダムアクセスを実行する。
【００９３】
ハンドオーバー命令を受信した端末は、ターゲット基地局に接続を試みる前、ＭＡＣ階層を初期化（ｒｅｓｅｔ）する（ステップＳ（２ｂ−０５））。
このとき、もし既存ソース基地局で設定された第１ランダムアクセスパラメータ又は／及び第２ランダムアクセスパラメータが存在する場合、それを「ＭＡＣ  ｒｅｓｅｔ」動作を介してＭＡＣ階層から削除した後、ハンドオーバー命令を介して設定された第１ランダムアクセスパラメータ及び第２ランダムアクセスパラメータを、ＲＲＣ階層がＭＡＣ階層に伝達する。
【００９４】
ステップＳ（２ｂ−０７）において、端末はターゲット基地局と同期化を行い、基地局にランダムアクセスを実行する。
このとき、端末は、ＲＲＣ階層のハンドオーバー命令から受信した第１ランダムアクセスパラメータ及び第２ランダムアクセスパラメータを使用し、ランダムアクセスを実行する。
端末のＭＡＣ階層は、端末のＲＲＣ階層がハンドオーバーを行っているか否かということを知ることができない。
従って、ＭＡＣ階層は、ＭＡＣ階層が初期化された後の最初のランダムアクセスを、ハンドオーバーのためのランダムアクセスであると仮定する。
【００９５】
それにより、端末のＭＡＣ階層が初期化された後の最初のランダムアクセスを行い、基地局から設定された第１ランダムアクセスパラメータが存在する場合、端末のＭＡＣ階層は、ランダムアクセスがハンドオーバーのための動作であると判断し、プリアンブル再伝送が必要な場合に設定された第１ランダムアクセスパラメータを適用し、バックオフ動作及びパワーラッピング動作を実行する。
このとき、第１ランダムアクセスパラメータは、サービングセル全体に共に適用されるパラメータである。
また、このとき、端末は、第１ランダムアクセス以外のランダムアクセスパラメータは、第１ランダムアクセスパラメータに追加し、ＰＣｅｌｌに該当する第２ランダムアクセスパラメータを適用し、ランダムアクセスを実行する。
【００９６】
また、さらなる実施形態として、ステップＳ（２ｂ−０９）において、端末がハンドオーバー成功後、ＣＡが設定された場合、ＣＡに設定されたＳＣｅｌｌが高周波で動作するとき、当該セルにおいてビーム失敗が発生し、それを復旧する動作を実行しなければならないことになる。
そのような場合、端末は、サービングセル全体に共に適用される既設定の第１ランダムアクセスパラメータを適用し、バックオフ動作及びパワーラッピング動作を実行し、第１ランダムアクセス以外のランダムアクセスパラメータは、第１ランダムアクセスパラメータに追加し、現在ランダムアクセスを実行するＳＣｅｌｌに該当する第２ランダムアクセスパラメータを適用し、ランダムアクセスを実行する（ステップＳ（２ｂ−１１））。
それにより、端末は、ランダムアクセスを実行する目的により、ランダムアクセスプリアンブル再伝送を行うようになる場合、ランダムアクセスを迅速に成功させることができる。
【００９７】
図２Ｃは、本発明の第２実施形態による端末の動作について説明するためのフローチャートである。
図２Ｃを参照すると、本実施形態においては、端末がＲＲＣ接続状態にある状態を仮定する。
【００９８】
ステップＳ（２ｃ−０３）において、端末は、基地局から第１ランダムアクセスパラメータを、ＲＲＣ階層の「ＲＲＣＲｅｃｏｎｆｉｇｕｒａｔｉｏｎ」メッセージを介して受信する。
例えば、端末は、第１ＨＰＡパラメータセットをＲＲＣメッセージから受信する。
また、さらに端末は、前述のさらに他のセットのＨＰＡパラメータである第（１−１）ランダムアクセスパラメータを、ＲＲＣ階層の「ＲＲＣＲｅｃｏｎｆｉｇｕｒａｔｉｏｎ」メッセージ又はＳＩＢ（ＳｙｓｔｅｍＩｎｆｏｒｍａｔｉｏｎＢｌｏｃｋ）メッセージから受信する。
ＳＩＢメッセージは、基地局がセル内にある端末に放送で伝送するメッセージである。
【００９９】
また、図２Ｂで述べたように、端末は、第２ランダムアクセスパラメータに対し、ＳＩＢメッセージ又は「ＲＲＣＲｅｃｏｎｆｉｇｕｒａｔｉｏｎ」メッセージによって設定された各サービングセル別に、当該設定を受信する。
例えば、端末は、第２ＨＰＡパラメータセットをＳＩＢメッセージから受信する。
もしステップＳ（２ｃ−０９）において、端末にランダムアクセスがトリガされた場合、ステップＳ（２ｃ−１１）において、当該目的により、端末は、互いに異なるＨＰＡパラメータを適用する。
【０１００】
もし端末が図２Ｂで示したように、ハンドオーバー及びビーム失敗復旧を行うためにランダムアクセスを実行する場合には（タイプ１）、端末は、ステップＳ（２ｃ−１３）において、第１ランダムアクセスパラメータと、サービングセルに設定された第２ランダムアクセスパラメータを適用し、ステップＳ（２ｃ−１９）において、ランダムアクセスを実行する。
また、端末がスケジューリング要請を、続けて設定されたＰＵＣＣＨ資源に伝送していて、最大伝送回数ほど伝送したにもかかわらず、基地局からスケジューリングを受けることができていない場合、ランダムアクセスを実行する場合にも、ステップＳ（２ｃ−１３）において、第１ランダムアクセスパラメータと、サービングセルに設定された第２ランダムアクセスパラメータとを適用し、ステップＳ（２ｃ−１９）において、ランダムアクセスを実行する。
【０１０１】
また、もし端末がＰＣｅｌｌとの接続が切れ、それを復旧するための再設定手続き（ＲＲＣ  ｃｏｎｎｅｃｔｉｏｎ  ｒｅｅｓｔａｂｌｉｓｈｍｅｎｔ  ｐｒｏｃｅｄｕｒｅ）を行う場合には、ステップＳ（２ｃ−１５）で設定された第（１−１）ランダムアクセスパラメータと、ＰＣｅｌｌで設定された第２ランダムアクセスパラメータとを適用し、ステップＳ（２ｃ−１９）において、ランダムアクセスを実行する。
【０１０２】
もし、それ以外の目的でランダムアクセスを実行する場合（例えば、基地局から、ＰＤＣＣＨ伝送を介してランダムアクセスがトリガリングされたり、低い優先順位を有する上向きリンク伝送のために、ランダムアクセスがトリガリングされる場合）、端末は、ステップＳ（２ｃ−１７）において、第１ランダムアクセスパラメータ又は第（１−１）ランダムアクセスパラメータの適用なしに、ランダムアクセスを実行するサービングセルに該当する第２ランダムアクセスパラメータのみを適用し、ステップＳ（１ｃ−１９）において、ランダムアクセスを実行する。
【０１０３】
図２Ｄは、本発明の一実施形態による端末の概略構成を示すブロック図である。
図２Ｄを参照すると、端末は、ＲＦ（ｒａｄｉｏ  ｆｒｅｑｕｅｎｃｙ）処理部（２ｄ−１０）、基底帯域（ｂａｓｅｂａｎｄ）処理部（２ｄ−２０）、保存部（２ｄ−３０）、及び制御部（２ｄ−４０）を含む。
ただし、それらは、一例であって、本発明の実施形態による端末の構成要素は、前述の例より少ない場合も多い場合もあり得る。
【０１０４】
ＲＦ処理部（２ｄ−１０）は、信号の帯域変換、増幅のように、無線チャネルを介して信号を送受信するための機能を実行する。
すなわち、ＲＦ処理部（２ｄ−１０）は、基底帯域処理部（２ｄ−２０）から提供される基底帯域信号を、ＲＦ帯域信号に上向き変換（ｕｐ−ｃｏｎｖｅｒｔ）した後、アンテナを介して送信し、アンテナを介して受信されるＲＦ帯域信号を、基底帯域信号に下向き変換（ｄｏｗｎ−ｃｏｎｖｅｒｔ）する。
例えば、ＲＦ処理部（２ｄ−１０）は、送信フィルタ、受信フィルタ、増幅器、ミキサ（ｍｉｘｅｒ）、オシレータ（ｏｓｃｉｌｌａｔｏｒ）、ＤＡＣ（ｄｉｇｉｔａｌ  ｔｏ  ａｎａｌｏｇ  ｃｏｎｖｅｒｔｏｒ）、ＡＤＣ（ａｎａｌｏｇ  ｔｏ  ｄｉｇｉｔａｌ  ｃｏｎｖｅｒｔｏｒ）などを含み得る。
【０１０５】
図２Ｄにおいては、１つのアンテナだけを示しているが、端末は、複数のアンテナを具備することができる。
また、ＲＦ処理部（２ｄ−１０）は、複数のＲＦチェーンを含み得る。
さらに、ＲＦ処理部（２ｄ−１０）は、ビームフォーミング（ｂｅａｍ  ｆｏｒｍｉｎｇ）を行う。
ビームフォーミングのために、ＲＦ処理部（２ｄ−１０）は、複数のアンテナ又はアンテナ要素（ｅｌｅｍｅｎｔ）を介して送受信される信号それぞれの位相及び大きさを調節する。
また、ＲＦ処理部（２ｄ−１０）は、ＭＩＭＯ（ｍｕｌｔｉｐｌｅ  ｉｎｐｕｔ  ｍｕｌｔｉｐｌｅ  ｏｕｔｐｕｔ）を行うことができ、ＭＩＭＯ動作実行時、いくつかのレイヤを受信する。
【０１０６】
基底帯域処理部（２ｄ−２０）は、システムの物理階層規格により、基底帯域信号とビット列との変換機能を実行する。
例えば、データ送信時、基底帯域処理部（２ｄ−２０）は、送信ビット列を符号化して変調することにより、複素シンボルを生成する。
また、データ受信時、基底帯域処理部（２ｄ−２０）は、ＲＦ処理部（２ｄ−１０）から提供される基底帯域信号に対し、復調及び復号化を介して受信ビット列を復元する。
例えば、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式による場合、データ送信時、基底帯域処理部（２ｄ−２０）は、送信ビット列を符号化して変調することにより、複素シンボルを生成し、複素シンボルを副搬送波にマッピングした後、ＩＦＦＴ（ｉｎｖｅｒｓｅ  ｆａｓｔ  Ｆｏｕｒｉｅｒ  ｔｒａｎｓｆｏｒｍ）演算及びＣＰ（ｃｙｃｌｉｃ  ｐｒｅｆｉｘ）挿入を介し、ＯＦＤＭシンボルを構成する。
また、データ受信時、基底帯域処理部（２ｄ−２０）は、ＲＦ処理部（２ｄ−１０）から提供される基底帯域信号をＯＦＤＭシンボル単位に分割し、ＦＦＴ（ｆａｓｔ  Ｆｏｕｒｉｅｒ  ｔｒａｎｓｆｏｒｍ）演算を介して副搬送波にマッピングされた信号を復元した後、復調及び復号化を介して受信ビット列を復元する。
【０１０７】
基底帯域処理部（２ｄ−２０）及びＲＦ処理部（２ｄ−１０）は、前述のように、信号を送信、及び受信する。
それにより、基底帯域処理部（２ｄ−２０）及びＲＦ処理部（２ｄ−１０）は、送信部、受信部、送受信部、又は通信部とも称される。
さらに、基底帯域処理部（２ｄ−２０）及びＲＦ処理部（２ｄ−１０）の内の少なくとも一つは、互いに異なる複数の無線接続技術を支援するために、複数の通信モジュールを含み得る。
また、基底帯域処理部（２ｄ−２０）及びＲＦ処理部（２ｄ−１０）の内の少なくとも一つは、互いに異なる周波数帯域の信号を処理するために、互いに異なる通信モジュールを含み得る。
例えば、互いに異なる無線接続技術は、無線ＬＡＮ（例：ＩＥＥＥ  ８０２．１１）、セルラネットワーク（例：ＬＴＥ）などを含み得る。
また、互いに異なる周波数帯域は、極高短波（ｓｕｐｅｒ  ｈｉｇｈ  ｆｒｅｑｕｅｎｃｙ：ＳＨＦ）（例：２．５ＧＨｚ、５Ｇｈｚ）帯域、ｍｍ波（ｍｉｌｌｉｍｅｔｅｒ  ｗａｖｅ）（例：６０ＧＨｚ）帯域を含み得る。
【０１０８】
保存部（２ｄ−３０）は、端末の動作のための基本プログラム、アプリケーション、設定情報のようなデータを保存する。
特に、保存部（２ｄ−３０）は、無線ＬＡＮ接続技術を利用して無線通信を行う無線ＬＡＮノードに関連する情報を保存する。
そして、保存部（２ｄ−３０）は、制御部（２ｄ−４０）の要請により、保存されたデータを提供する。
【０１０９】
制御部（２ｄ−４０）は、端末の全般的な動作を制御する。
例えば、制御部（２ｄ−４０）は、基底帯域処理部（２ｄ−２０）及びＲＦ処理部（２ｄ−１０）を介して信号を送受信する。
また、制御部（２ｄ−４０）は、保存部（２ｄ−４０）にデータを記録して読み取る。
そのために、制御部（２ｄ−４０）は、少なくとも１つのプロセッサを含む。
例えば、制御部（２ｄ−４０）は、通信のための制御を実行するＣＰ（ｃｏｍｍｕｎｉｃａｔｉｏｎ  ｐｒｏｃｅｓｓｏｒ）、及びアプリケーションプログラムのような上位階層を制御するＡＰ（ａｐｐｌｉｃａｔｉｏｎ  ｐｒｏｃｅｓｓｏｒ）を含み得る。
開示した実施形態により、制御部（２ｄ−４０）は、多重接続モードで動作するための処理を行う多重接続処理部（２ｄ−４２）を含む。
例えば、制御部（２ｄ−４０）は、端末が図２Ｂに示した端末の動作に示した手続きを実行するように制御する。
一実施形態による制御部（２ｄ−４０）は、端末が行うランダムアクセスのタイプに従ったパラメータを適用し、ランダムアクセスを実行する。
【０１１０】
特許請求の範囲、又は明細書に記載された本発明の実施形態による方法は、ハードウェア、ソフトウェア、又はハードウェアとソフトウェアとの組み合わせの形態にも具現される（ｉｍｐｌｅｍｅｎｔｅｄ）。
ソフトウェアで具現される場合、１以上のプログラム（ソフトウェアモジュール）を保存するコンピュータ可読記録媒体が提供され得る。
コンピュータ可読記録媒体に保存される１以上のプログラムは、電子装置（ｄｅｖｉｃｅ）内の１以上のプロセッサによって実行可能になるように構成される。
１以上のプログラムは、電子装置をして、本発明の特許請求の範囲、明細書に記載された本発明の実施形態による方法を実行させる命令語（ｉｎｓｔｒｕｃｔｉｏｎｓ）を含む。
【０１１１】
そのようなプログラム（ソフトウェアモジュール、ソフトウェア）は、ＲＡＭ（ｒａｎｄｏｍ  ａｃｃｅｓｓ  ｍｅｍｏｒｙ）・フラッシュメモリを含む不揮発性（ｎｏｎ−ｖｏｌａｔｉｌｅ）メモリ、ＲＯＭ（ｒｅａｄ  ｏｎｌｙ  ｍｅｍｏｒｙ）、電気的削除可能プログラム可能ＲＯＭ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ  ｏｎｌｙ  ｍｅｍｏｒｙ）、磁気ディスク保存装置（ｍａｇｎｅｔｉｃ  ｄｉｓｃ  ｓｔｏｒａｇｅ  ｄｅｖｉｃｅ）、ＣＤ−ＲＯＭ（ｃｏｍｐａｃｔ  ｄｉｓｃ  ｒｅａｄ  ｏｎｌｙ  ｍｅｍｏｒｙ）、ＤＶＤ（ｄｉｇｉｔａｌ  ｖｅｒｓａｔｉｌｅ  ｄｉｓｃ）、他形態の光学保存装置、又はマグネチックカセット（ｍａｇｎｅｔｉｃ  ｃａｓｓｅｔｔｅ）にも保存され得る。
又は、それらの一部又は全部の組み合わせによって構成されたメモリにも保存される。
また、各メモリデバイスは、複数の前述又は他のデバイスを含んでもよい。
【０１１２】
また、上記プログラムは、インターネット、イントラネット（Ｉｎｔｒａｎｅｔ）、ＬＡＮ（ｌｏｃａｌ  ａｒｅａ  ｎｅｔｗｏｒｋ）、ＷＬＡＮ（ｗｉｄｅ  ＬＡＮ）又はＳＡＮ（ｓｔｏｒａｇｅ  ａｒｅａ  ｎｅｔｗｏｒｋ）のような通信ネットワーク、又はそれらの組み合わせで構成された通信ネットワークを介してアクセス（ａｃｃｅｓｓ）することができる付着可能な（ａｔｔａｃｈａｂｌｅ）保存装置（ｓｔｏｒａｇｅ  ｄｅｖｉｃｅ）にも保存される。
そのような保存装置は、外部ポートを介し、本発明の実施形態を実行する装置に接続することができる。
また、通信ネットワーク上の別途の保存装置が、本発明の実施形態を実行する装置に接続することもできる。
【０１１３】
前述の具体的な実施形態において、発明に含まれる構成要素は、提示した具体的な実施形態により、単数又は複数によって表現された。
しかし、単数又は複数の表現は、説明の便宜のために提示された状況に適するように選択されたものであり、開示した技術的思想は、単数又は複数の構成要素に制限されるものではなく、複数に表現された構成要素であるとしても、単数で構成されたり、単数で表現された構成要素であるとしても、複数によっても構成されたりもする。
本発明は、多様な実施形態を参照して図に示して説明されたが、当業者であるならば、添付された特許請求の範囲、及び均等物によって定義される本発明の思想及び範囲を外れることなく、形態及び細部事項の多様な変更がなされるということを理解するであろう。
【符号の説明】
【０１１４】
１ａ−０５、１ａ−１０、１ａ−１５、１ａ−２０    基地局
１ａ−２５    ＭＭＥ
１ａ−３０    Ｓ−ＧＷ
１ａ−３５    端末
２ｄ−１０    ＲＦ処理部
２ｄ−２０    基底帯域処理部
２ｄ−３０    保存部
２ｄ−４０    制御部
２ｄ−４２    多重接続処理部
【図１Ａ】
2021519535.tif 000004
【図１Ｂ】
2021519535.tif 000005
【図１Ｃ】
2021519535.tif 000006
【図１Ｄ】
2021519535.tif 000007
【図１Ｅ】
2021519535.tif 000008
【図１ＦＡ】
2021519535.tif 000009
【図１ＦＢ】
2021519535.tif 000010
【図１ＦＣ】
2021519535.tif 000011
【図１Ｇ】
2021519535.tif 000012
【図２Ａ】
2021519535.tif 000013
【図２Ｂ】
2021519535.tif 000014
【図２Ｃ】
2021519535.tif 000015
【図２Ｄ】
2021519535.tif 000016
【国際調査報告】
2021519535.tif 000017
2021519535.tif 000018